(57)【要約】建築物の開口部を覆うための、つぶれるように変形するベーンを備えた引込可能な覆いは、支持構造体を備えており、この支持構造体は、シート材から成るものとすることもでき、或いは、複数のモノフィラメントのコード、複数のテープ、複数のリボン、また更に、その他の形態の複数のコードから成るものとすることもできる。支持構造体は、鉛直方向に互いに離隔して水平方向に延在する複数のベーンを、それらベーンの夫々の上縁において支持している。それらベーンの夫々の下縁は、本発明の実施の形態の多くのものにおいては、複数の作動部材に接続されており、それら作動部材は、各ベーンの下縁を引上げて上縁に接近させるようにするものであり、これによって、ベーンどうしの間に間隙が形成され、その間隙を通して視界及び採光が得られるようになることで、覆いが開状態となる。この覆いの変更構成例として、ベーンの下縁を上縁に対して相対的に移動させずに、単に複数のベーンのうちの幾つかを、その他のベーンに対して相対的に移動させるようにしたものもある。ベーンの製作材料としては、可撓性の大きな材料も、小さな材料も使用することができ、剛性の高い材料を使用するときには、ベーンに折り目を形成することによって、適切に機能し得るものとすることができる。【選択図】図２
2007509254.tif 000002
【特許請求の範囲】
【請求項１】
開状態と閉状態との間で作動可能な、建築物の開口部の覆いに用いるパネルにおいて、
互いに平行な複数の昇降部材から成る昇降部材群と、
前記昇降部材と略々同一平面上に配置された互いに平行な複数の作動部材から成る作動部材群と、
互いに平行な第１縁と第２縁とを有する細長い板状または帯状の部材である少なくとも１つのストリップ部材とを備え、
各ストリップ部材の前記第１縁は前記複数の昇降部材に止着され、前記第２縁は前記複数の作動部材に止着されており、前記複数の作動部材が前記複数の昇降部材に対して相対的に第１方向に移動することにより、前記ストリップ部材が略々平らにつぶれた状態の閉状態になって前記複数の昇降部材及び前記複数の作動部材と略々同一平面上に位置するようになり、前記複数の作動部材が前記複数の昇降部材に対して相対的に逆方向に移動することにより、前記ストリップ部材の前記第２縁が前記第１縁に近付く方向へ移動して開状態になるようにした、
ことを特徴とする建築物の開口部の覆いに用いるパネル。
【請求項２】
開状態と閉状態との間で作動可能な、建築物の開口部の覆いにおいて、
略々円筒形状の細長いローラと、
前記ローラの長手方向に延在する第１直線に沿って前記ローラの外周に一端が止着された互いに平行な複数の細長い昇降部材から成る昇降部材群と、
前記第１直線から前記ローラの周方向に離隔して前記ローラの長手方向に延在する第２直線に沿って前記ローラの外周に一端が止着された互いに平行な複数の細長い作動部材から成る作動部材群と、
互いに平行な第１縁と第２縁とを有する細長い板状または帯状の部材である複数のストリップ部材とを備え、
互いに平行な夫々の前記第１縁は前記複数の昇降部材に止着され、互いに平行な夫々の前記第２縁は前記複数の作動部材に止着されており、前記複数の昇降部材と前記複数の作動部材とは略々同一平面上に配置されて該平面上においてそれら部材は前記複数のストリップ部材に止着されており、前記複数の作動部材が前記複数の昇降部材に対して相対的に長手方向に移動することにより、前記第１縁と前記第２縁とが互いに接近及び離隔する方向に移動し、それによって前記覆いが開状態と閉状態との間で作動して、前記複数の昇降部材と、前記複数の作動部材と、前記複数のストリップ部材とが前記ローラに巻取られ、また前記ローラから巻出されるようにした、
ことを特徴とする建築物の開口部の覆い。
【請求項３】
開状態と閉状態との間で作動可能な、建築物の開口部の覆いにおいて、
略々円筒形状の細長いローラと、
前記ローラの長手方向に延在する第１取付直線に沿って前記ローラの外周に一縁が止着された可撓性を有するシート材と、
前記第１取付直線から前記ローラの周方向に離隔して前記ローラの長手方向に延在する第２取付直線に沿って前記ローラの外周に一端が止着された複数の作動部材から成る作動部材群と、
互いに平行な第１縁と第２縁とを有する細長い板状または帯状の部材である複数のストリップ部材とを備え、
互いに平行な夫々の前記第１縁は互いに平行で互いに離隔した複数の直線に沿って断続的に前記シート材に止着されており、それによって前記互いに離隔した複数の線に沿って複数の非止着箇所が画成されており、夫々の前記第２縁は前記複数の作動部材の長手方向に沿って間隔をおいた複数の位置で前記複数の作動部材に止着されており、前記複数の作動部材は前記複数の非止着箇所を貫通して摺動可能に延在しており、前記複数の作動部材の働きにより、前記覆いの前記開状態と前記閉状態との間の作動の際の前記ローラの回転に伴って前記第２縁が前記第１縁に対して接近及び離隔する方向へ選択的に移動するようにした、
ことを特徴とする建築物の開口部の覆い。
【請求項４】
建築物の開口部の覆いに用いるパネルにおいて、
互いに離隔して互いに平行に配置された細長い複数の可撓性部材と、
少なくとも１つの矩形のストリップ部材であって、縁部と該縁部に沿って形成されたタブ部とを備え、該タブが、前記部材と該タブ部との境界に沿って前記可撓性部材に連結されている、
ことを特徴とする建築物の開口部の覆いに用いるパネル。
【請求項５】
建築物の開口部の覆いに用いるパネルにおいて、
同一平面上に互いに平行に配置された細長い複数の可撓性部材と、
前記平面に近接して配置された、第１縁と第２縁とを有する細長い板状または帯状の部材である、複数の第１ストリップ部材及び複数の第２ストリップ部材とを備え、
前記第１ストリップ部材の前記第１縁と前記第２ストリップ部材の前記第１縁とは互いに止着された上で第１取付直線に沿って前記複数の可撓性部材のうちの幾つかに止着されており、前記複数の可撓性部材のうちの残りのものは前記第１取付直線を摺動可能に貫通しており、前記第１ストリップ部材の前記第２縁と前記第２ストリップ部材の前記第２縁とは互いに止着された上で前記複数の可撓性部材のうちの前記残りのものに止着されており、前記第１ストリップ部材と前記第２ストリップ部材とによってそれらストリップ部材の間につぶれ変形可能なセルが形成されており、前記複数の可撓性部材が前記ストリップ部材の前記第２縁を前記第１縁に接近する方向へ移動させることにより前記セルを選択的につぶれ変形させるようにした、
ことを特徴とする建築物の開口部の覆いに用いるパネル。
【請求項６】
建築物の開口部の覆いに用いるパネルにおいて、
同一平面上に互いに平行に配置された複数の可撓性部材と、
複数の裏打用テープ部材と、
複数の布テープ部材とを備え、
前記複数の布テープ部材は、複数の取付直線に沿って前記複数の裏打用テープ部材に止着されており、前記可撓性部材はそれらの間に位置している、
ことを特徴とする建築物の開口部の覆いに用いるパネル。
【請求項７】
建築物の開口部の覆いに用いるパネルにおいて、
鉛直方向に吊下された可撓性を有する支持構造体と、
前記支持構造体と略々同一平面上に配置された互いに平行な複数の作動部材から成る作動部材群と、
第１縁と第２縁とを有する細長い板状または帯状の部材である少なくとも１つのストリップ部材とを備え、
前記ストリップ部材の前記第１縁は前記支持構造体に止着され、前記第２縁は前記複数の作動部材に止着されており、前記複数の作動部材が前記支持構造体に対して相対的に第１方向に移動することにより、前記ストリップ部材が略々平らにつぶれた状態になって前記支持構造体及び前記複数の作動部材と略々同一平面上に位置するようになり、前記複数の作動部材が前記支持構造体に対して相対的に逆方向に移動することにより、前記第２縁が前記第１縁に近付く方向へ移動するようにした、
ことを特徴とする建築物の開口部の覆いに用いるパネル。
【請求項８】
展張状態と引込状態との間で作動可能な、建築物の開口部の覆いにおいて、
上縁と下縁とを有し鉛直方向に展張可能な可撓性の材料から成るパネルと、
前記パネルを外周に巻付けることのできるローラと、取付位置を変更することのできるストッパとを有し、前記パネルの前記上縁が前記ローラの外周に止着されている、ヘッドレールと、
前記パネルの前記下縁に止着されたボトムレールとを備え、
前記覆いの引込みが行われているときに、前記ヘッドレールの内部において前記ボトムレールが前記ストッパと係合することによって、前記ローラの一方の回転方向への回転が阻止されるようにした、
ことを特徴とする建築物の開口部の覆い。
【請求項９】
展張状態と引込状態との間で作動可能な、建築物の開口部の覆いにおいて、
上縁と下縁とを有し鉛直方向に展張可能な可撓性の材料から成るパネルと、
前記パネルを外周に巻付けることのできるローラを有し、前記パネルの前記上縁が前記ローラの外周に止着されている、ヘッドレールと、
互いに揺動可能に連結された少なくとも２つの構成部品から成り、前記パネルの前記下縁に止着されたボトムレールと、
を備えることを特徴とする建築物の開口部の覆い。
【請求項１０】
展張状態と引込状態との間で作動可能な、建築物の開口部の覆いにおいて、
上縁と下縁とを有し鉛直方向に展張可能な可撓性の材料から成るパネルと、
前記パネルを外周に巻付けることのできるローラを有し、前記パネルの前記上縁が前記ローラの外周に止着されている、ヘッドレールと、
ボトムレールとを備え、
前記パネルは、支持構造体と、該支持構造体に支持され水平方向に延在する細長い板状または帯状の部材である複数のストリップ部材とを備えており、前記複数のストリップ部材は、上縁が前記支持構造体に止着され下縁が移動可能であり、前記パネルは更に、複数の作動部材を備えており、それら複数の作動部材は、前記複数のストリップ部材の前記下縁に止着されると共に前記ローラに止着されていて、前記複数のストリップ部材の前記下縁を前記上縁に接近する方向へ選択的に移動させるものであり、
前記ボトムレールは、彎曲表面を有しており、前記ボトムレールは更に、前記複数の作動部材に作用的に止着されると共に前記彎曲表面を回り込んだ上で前記支持構造体に連結された部材を含んでおり、該部材が、前記ストリップ部材の前記下縁が前記ストリップ部材の前記上縁へ接近する方向へ移動されるときに、前記彎曲表面に沿って移動するようにした、
ことを特徴とする建築物の開口部の覆い。
【発明の詳細な説明】
【技術分野】
【０００１】
本件特許出願は、米国仮特許出願第60/497,020号（出願日：2003年8月20日、発明の名称：Retractable Shade With Collapsible Vanes（つぶれ変形するベーンを備えた引込可能なシェード））に基づく優先権を主張する特許出願である。
【０００２】
本発明は、広く一般的は、建築物の開口部の覆いに用いられるパネルと、かかるパネルを用いた建築物の開口部とに関するものである。このパネルは支持構造体を備えており、この支持構造体は、その前面に、鉛直方向に互いに離隔して水平方向に延在するす複数のストリップ部材（細長い板状または帯状の部材）を備えている。それらストリップ部材の上縁は、支持構造体の高さ方向の複数の所定位置において支持構造体に固定されており、それらストリップ部材の下縁は、支持構造体に対して相対的に摺動可能とされている。ストリップ部材の下縁は、固定されている上縁へ近付けるように上方へ選択的に引上げることができ、それによって、ストリップ部材どうしの間に間隙が形成され、その間隙を通して視界及び採光が得られるようになっている。
【０００３】
このパネルが用いられる建築物の開口部の覆いは、例えば、その覆いの最上部にローラを備えたものであり、このパネルを建築物の開口部に展張された状態から引込状態へ作動させる際には、このパネルがそのローラに巻取られる。この覆いは更に、開状態と閉状態との間で作動可能なものであり、開状態にあるときには、各ストリップ部材の下縁が上縁に近接して位置しており、閉状態にあるときには、各ストリップ部材の上縁と下縁とが最大限に離隔している。
【背景技術】
【０００４】
建築物の開口部には、例えば、窓、ドア、通路などがある。このような建築物の開口部を覆うために、はるか昔より多種多様な覆いが用いられてきた。それら覆いのうち、初期の形態のものは、主として、建築物の開口部に吊下した布から成るものであった。また、多くの場合、そのような布から成る覆いは、展張状態と引込状態との間で作動可能なものではなく、開口部に対して相対的に移動可能なものではなかった。
【０００５】
建築物の開口部の覆いが進化した結果、多種多様な形態の引込可能な覆いが出現した。それらのうちの１つに、ローラシェードがある。ローラシェードは、可撓性を有する部材を、ローラに巻取られた状態から引出して、建築物の開口部を覆う展張状態にすること、並びに、これとは逆に、展張状態からローラに巻取られた状態にすることができるようにしたものである。
【０００６】
建築物の開口部を覆うための引込可能な覆いとして、一般的に用いられているもう１つの種類の覆いとして、ベネチアンブラインドがある。ベネチアンブラインドは、水平方向に延在する複数のスラットを、複数のラダーコードによって吊下し、各スラットを、その水平な長手方向軸心を中心として回転させることで、開状態と閉状態との間の切換えを行うようにしたものである。また、ブラインド全体を引込状態とすることが可能であり、そうするためには、最下段のスラットを引上げるようにしており、それによって、最下段のスラットの上に、それより上方の各スラットが次々と積み重なりながら、それらスラットが上方へ引上げられ、最終的には、積み重なったスラットが建築物の開口部の上部に位置するようになっている。
【０００７】
更に、縦型ブラインドが開発された。縦型ブラインドは、ベネチアンブラインドと同様の構成のものであるが、ただし、スラット（ベーン）が鉛直方向に延在しており、各スラット（ベーン）を、その鉛直な長手方向軸心を中心として回転させることで、覆いを開状態と閉状態との間で作動可能にしたものである。この覆い（縦型ブラインド）を、引込状態にするときには、複数のスラット（ベーン）を水平方向へ移動させるようにしており、それによって、それらスラット（ベーン）が密集した状態となって、建築物の開口部の両側または片側へ寄せられる。また、この覆い（縦型ブラインド）を展張状態にするときには、複数のスラット（ベーン）が均一な間隔で展開するようにしてある。
【０００８】
更に最近になって、セルラシェードが広く用いられるようになり、多種多様な形態のセルラシェードが出現した。一般的に用いられているセルラシェードの一例は、各々を水平方向に延在させて鉛直方向に並べた、つぶれ変形可能な複数のチューブ部材を相互接続して、複数のチューブ部材から成るパネルを形成したものである。このパネルを一杯に展張した状態にすると、このパネルが建築物の開口部を覆うことになる。そして、その状態から最下段のセル（チューブ部材）を引上げると、それより上方の各セル（チューブ部材）が順次つぶれ変形してその上に積み重なって、比較的高さ寸法の小さい積層体となり、その積層体が開口部の上部に位置するようになっている。
【０００９】
セルラ製品（セルラシェード）の別の一例として、鉛直方向に延展する互いに離隔した一対の光透過性シート材を備えたものがあり、それらシート材は、例えば、向こう側が透けて見える薄手の布などである。更に、それら一対のシート材の間に、水平方向に延在する複数のベーンが配設されている。それらベーンは、剛性を有するベーンとすることもでき、可撓性を有するベーンとすることもできる。一対のシート材を互いに上下方向に変位させることによって、各ベーンを、その長手方向軸心を中心として回転させることができるようにしてある。また、それらシート材とベーンとで構成したパネルの全体を、ローラの周囲に巻取ることによって、この覆い（セルラシェード）を引込状態とすることができる。
【００１０】
最近では、様々な改変を加えた縦型ブラインドの開発も進められている。その一例は、鉛直方向に延在する複数のベーンの各々の一方の側縁を、例えば向こう側が透けて見える薄手の布などから成る布製シート材に連結し、その覆い（縦型ブラインド）の、全体としての外観が、あたかも、ひだのあるカーテンのように見えるようにしたものである。そして、薄手の布の背後に隠されている複数のベーンを、その鉛直方向の長手軸心を中心として回転させることによって、その薄手の布を通して得られる視界及び採光を、選択的に遮断するようにしている。また当然のことながら、この覆い（縦型ブラインド）でも、それを建築物の開口部に展張された状態から引込状態にするときには、複数のベーン及びそれらを連結した布製シート材が、その建築物の開口部の片側または両側へ寄せられるようになっている。
【００１１】
建築物の開口部の覆いの構造には、無数ともいえる多種多様な形態があり、それら形態を発展させる原動力となった要因は、実用性と美観性の２つである。それら２つの要因のうち、一方が重視されるあまりに、他方がないがしろにされることも多々あるにせよ、住宅空間においても、また商業空間においても、実用性及び美観性の両方の要求を満足することのできる建築物の開口部の覆いを求める消費者の要望は絶えることがなく、この消費者の要望に応えるべく、構成要素を様々に組合せる試みが現在も続いている。
【発明の開示】
【発明が解決しようとする課題】
【００１２】
本発明は、かかる消費者の要望に応えることを目的として成されたものである。
【課題を解決するための手段】
【００１３】
本発明は、建築物の開口部の覆いと、建築物の開口部の覆いに用いるパネルとに関するものであり、このパネルは、支持構造体を備えており、この支持構造体には、水平方向に延在し互いに鉛直方向に離隔した複数のベーン（ストリップ部材）が並べて取付けられている。ストリップ部材とは、細長い板状または帯状の部材である。互いに離隔して取付けられた複数のベーンは、引き伸ばされて平らにつぶれて閉じた状態と、折り畳まれて開いた状態との間で作動可能であり、開いた状態にあるときには、各ベーンは支持構造体から突出しており、また、ベーンどうしの間に空間が形成されていて、その空間を通して視界及び採光が得られるようになっている。
【００１４】
支持構造体は、様々な形態のものとすることができ、その一例は、可撓性を有するシート材であり、そのようなシート材としては、例えば、向こう側が透けて見える薄手の布などが用いられる。また、支持構造体は、互いに離隔して互いに平行に延在し、互いに同一平面上に配置された、鉛直方向に延在する複数の可撓性部材から成るものとすることもできる。また、本発明の好適な実施の形態は、複数のベーンが水平方向に延在するようにしたものであるが、しかしながら当業者であれば、本発明の教示を、ベーンが鉛直方向に延在する覆いにも適用することであろう。
【００１５】
ベーンの形態は様々なものとすることができる。また、ベーンの材料も様々なものとすることができ、例えば、織物や不織布などの布材料、ビニル材料、また更にその他の材料を使用することができる。ベーンは、可撓性部材、半剛性部材、それに剛性部材のいずれとすることもでき、ベーンを開状態と閉状態との間で作動させるために必要ならば、その部材に折り目を形成するようにしてもよい。ベーンの典型的な一例は、鉛直方向に延展する支持構造体の全幅に亘って水平方向に延在し、上縁と下縁とを有する、ストリップ部材とするものである。更に、各ストリップ部材の上縁を、隣接するベーンから鉛直方向に離隔した位置において支持構造体に止着し、各ストリップ部材の全体のうちの上縁以外の部分は、止着することなく、上縁において吊下された状態となるようにし、そして、支持構造体に支持された複数のストリップ部材の集合体によって、パネルが形成されるようにする。更に、各ストリップ部材の下縁を、支持構造体に摺動可能に接続することによって、その下縁が、鉛直方向に、即ち、そのストリップ部材の上縁に対して接近及び離隔する方向に移動可能であるようにしておく。このようにしたストリップ部材は、下縁を上縁に接近する方向に移動させると、支持構造体から離れる方向に膨出する。これによって、パネルないし覆いが開状態となり、その結果、ストリップ部材（ベーン）どうしの間を通して視界及び採光が得られるようになる。また、各ストリップ部材（ベーン）の下縁が、重力に従って降下できる状態にすると、ストリップ部材の上縁と下縁との間の距離が最大になったときに、ストリップ部材は平らに伸ばされて、支持構造体と略々同一平面上を延在する状態になり、このとき、ストリップ部材どうしが、僅かに重なり部を有するようにしておくことが望ましく、そうすることによって、パネルないし覆いを通した視界及び採光を遮断することができる。パネルないし覆いが閉状態になったならば、このパネルを備えている覆いのヘッドレールの中に装備されているローラの周囲に、そのパネルを巻取ることができ、以上により、覆いを展張状態と引込状態との間で作動可能にしている。
【００１６】
既述のごとく、ストリップ部材（ベーン）の形態は、様々なものとすることができ、例えば、ストリップ部材を二層構造にして、それら層の間に閉じたセル部（閉空間）が形成されるようにすることも可能である。二層構造にする場合に使用する２つのストリップ部材は、それらを支持構造体の一方の側に設けるようにすることもでき、また、支持構造体の両側に１つずつ設けるようにすることもできる。前者の場合には、支持構造体が各セル部の一側を延展する構成となり、後者の場合には、支持構造体が各セル部の中心を延展する構成となる。
【００１７】
既述のごとく、支持構造体の形態は、１枚または複数のシート材から成るものとすることができ、その場合には、例えば、そのシート材の高さ方向の所定位置において各ベーンの上縁が支持されるような形態とすることができる。また、別の形態として、シート材に替えて、互いに平行に鉛直方向に延在する可撓性を有する細長い複数の昇降部材から成るものとすることもでき、その場合には、例えば、それら昇降部材の延在方向の所定位置において各ベーンの上縁がそれら昇降部材に止着されるような形態とすることができる。シート材を使用する場合も、また、複数の昇降部材を使用する場合も、支持構造体は、そのシート材ないし昇降部材に加えて更に、可撓性を有する複数の作動部材を備えたものとする。それら作動部材は、各ベーンの下縁に固定連結される一方で、各ベーンの上縁に対しては相対的に摺動可能とする。これによって、各ベーンの下縁を昇降させることで、複数のベーンを作動させることができ、そして、それらベーンが取付けられているパネルを開状態と閉状態との間で作動させることができる。
【００１８】
本発明のその他の局面、特徴、並びに細部構成は、好適な実施の形態についての以下の詳細な説明を図面と共に参照することによって、また、特許請求の範囲の記載を参照することによって、より明瞭に理解することができる。
【発明を実施するための最良の形態】
【００１９】
図１〜図１６に示したのは、本発明に係る建築物の開口部の覆いに用いるパネルの、第１の実施の形態１００である。図示のごとく、覆いに用いるパネル１０２は、支持構造体１０４と、この支持構造体に取付けられた複数のベーン１０６と、それらベーンを開状態と閉状態との間で作動させるための複数の操作部材１０８とを備えている。この第１の実施の形態において、支持構造体は、向こう側が透けて見える薄手の布を材料として用いた可撓性を有する１枚のシート材から成るものである。ただし、支持構造体は、その他の材料を用いたシート材から成るものとすることもでき、また、複数枚のシート材から成るものとすることもでき、シート材の構造も様々なものとすることができ、更には、シート材の透明度も様々なものとすることができる。図示したシート材は矩形の形状であり、上縁１１０、下縁１１２、左側縁１１４、及び右側縁１１６を有し、下縁１１２には、適当な重量が付与されたボトムレール１１７が取付けられている。図５〜図８に最もよく示されているように、支持シート材１０４は、その上縁１１０が、略々円筒形状のローラ１１８に止着されていて、このローラ１１８から吊下されている。ローラ１１８は、この覆いのヘッドレール１２０（図４〜図６）の中に配設されており、水平方向に延在する中心軸の周りに回転可能に取付けられており、選択的に両方向へ回転させることができる。ローラ１１８、ヘッドレール１２０、及び、パネル１０２によって、本発明に係る覆い１２２が構成されている。
【００２０】
ローラ１１８には、このローラの軸心方向に延在する第１溝部１２４及び第２溝部１２６が設けられている。それら第１溝部１２４及び第２溝部１２６は、互いに同一構造であり、このローラの周方向に互いに離隔した位置に設けられており、このローラの周面に開口している。第１溝部１２４は支持シート１０４の上縁１１０を支持している。支持シート材１０４の上縁は、例えば、折返し縫いをして袋状にしておき、その袋状の上縁の内部にロッドを挿入することによって、その上縁を第１溝部１２４の端部から長手方向に挿入することができるようにし、また、ローラの周面の第１溝の開口部には、その両側に一対のリップ部を形成しておき、それらリップ部によって、挿入された支持シート材の上縁を係止できるようにするとよい。即ち、それら一対のリップ部の間隔をロッドの直径より小さくしておけば、そのロッドが挿入された支持シート材の上縁１１０を、第１溝部１２４の中に保持することができる。
【００２１】
複数の細長いベーン１０６は、シート材で製作されており、各々が水平方向に延在しており、支持シート材１０４の前面の、鉛直方向に間隔をおいた夫々の位置に取付けられており、しかも、夫々の取付箇所から吊下された状態で取付けられている。各ベーンは、矩形の形状であり、半剛性を有する材料で製作されており、各ベーンには、そのベーンの長手方向中心線に沿って延在する折り目１２８が形成されている。各ベーンは、上縁１３０及び下縁１３２を有しており、それらは折り目１２８と平行に延在している。各ベーンの上縁１３０には、その上縁１３０に沿って、内側へ折って更に下方へ折り返した矩形の折返し部（タブ部）１３４が形成されている。このタブ部１３４は、支持シート材に止着されており、その止着の仕方については後に説明する。各ベーンの下縁１３２には、内側へ折って更に上方へ折り返した折返し部（タブ部）１３６が形成されている。このタブ部１３６は、支持シート材に対して摺動可能とされており、これについても後に更に詳細に説明する。各ベーン１０６の上下のタブ部１３４、１３６の間の部分は、その前面が露出しており、また、この部分の上下幅の寸法は、この覆いが図１、図５、図６、及び図９〜図１３に示した閉状態にあるときに、各ベーン１０６が、その直ぐ下のベーン１０６との間に重なり部を有するような寸法としてある。また、それらの図に示したように、閉状態にあるときには、各ベーンが、略々平らに引き伸ばされた形状となり、支持シート材１０４と平行に延在している。
【００２２】
パネル１０２及び覆い１２２は更に、鉛直方向に延在する可撓性を有する複数の作動部材１０８を備えており、それら作動部材１０８は、互いに水平方向に間隔をおいて、パネルの全幅に亘って分布するように配置されている。また、それら作動部材１０８の上端はローラ１１８の第２溝部１２６に止着されており、この止着は、各作動部材１０８の上端をロッドに連結し、そのロッドを第２溝部１２６に挿入することによってなされている。各々の可撓性作動部材１０８は、このようにして吊下されて、パネルの全高に亘って鉛直方向に延在し、その長手方向の間隔をおいた複数の箇所で、各々のベーンの下縁１３２に止着されている。この構成により、複数の作動部材１０８が上方へ引上げられたならば、各ベーンの下縁がそのベーンの上縁１３０へ向けて一斉に持上げられ、それによって、ベーンどうしの間に間隙（開放空間）１３８（図３）が画成されるようになっており、その間隙を通して視界及び採光が得られるようになる。また、以上から明らかなように、各ベーンが半剛性を有する材料で製作されており、しかも、各ベーンにはその長手方向に延在する中心線に沿って折り目が形成されているため、下縁１３２が上縁１３０へ向かって移動することにより、例えば図２や図３に示したように、ベーンは折り畳まれて、前方へ突き出すことになる。従って、ベーンは、揺動可能に接合された上方矩形部分１４０と、下方矩形部分１４２とを有するものである。また、ベーンの横断面形状は、図１に示した閉状態にあるときは平らな形状であるが、図２及び図３に示した開状態では三角形の形状になっている。尚、図示した可撓性作動部材１０８の形態は、モノフィラメントのコードから成るものであるが、その他の様々な形態のものとすることができ、例えば、布テープから成るものとすることもできれば、合成繊維または天然繊維のコードとすることもでき、更にその他の様々な形態のものとすることも可能である。また、ベーン１０６を製作するために用いる材料も、様々な適宜の材料とすることができ、例えば、織物や不織布などの繊維材料や、ビニル材料などを用いることもでき、更にその他の材料を用いることも可能である。
【００２３】
各ベーン１０６の上縁１３０を、支持シート材１０４にどのようにして止着しているかを最もよく示している図は、おそらく図１４〜図１６である。図示のごとく、各ベーンの上縁に沿った折返し部（タブ部）１３４を支持シート材１０４に止着するために、止着用ストリップ部材１４４が用いられている。止着用ストリップ部材１４４は、パネル１０２ないし覆い１２２の全幅に亘って延在しており、その高さ（上下幅）は、タブ部１３４の高さ（上下幅）に略々等しい。止着用ストリップ部材１４４は、この止着用ストリップ部材１４４の寸法に形成した芯材（基材）１４６の前面及び背面に、両面粘着テープを貼着してなるものである。基材１４６の前面には、この基材１４６の全長に亘って延在する１枚の連続した両面粘着テープ１４８を貼着し、この両面粘着テープ１４８の他面は、対応するベーンの上縁のタブ部１３４の背面に、その全長に亘って貼着されている。一方、基材１４６の背面には、その長手方向に一列に並べて、複数の両面粘着テープ１５０が間隔を空けて貼着されており、そのため、両面粘着テープ１５０が存在しない途切れ部１５２が複数箇所に形成されている。基材１４６の背面に貼着されたそれら複数の両面粘着テープの他面は、支持シート材１０４の前面に貼着されており、ただし夫々の途切れ部１５２においては、ベーンの上縁と支持シート材とが連結されておらず、それら途切れ部１５２を夫々に貫通して、複数の作動部材１０８が摺動可能に延在している。
【００２４】
各ベーン１０６の下縁１３２は、止着用ストリップ部材１５４を介して、複数の作動部材１０８の各々に連結されている。この止着用ストリップ部材１５４も、芯材（基材）１５６を備えている。この基材１５６は、パネル１０２の全幅に亘って延在しており、その高さ（上下幅）はベーン１０６の下縁の対応するタブ部１３６の高さ（幅寸法）より僅かに小さい。基材１５６の前面には、１枚の連続した両面粘着テープ１５８が貼着されており、この両面粘着テープ１５８の他面は、ベーン１０６の下縁のタブ部１３６の前面に貼着されており、この両面接着テープ１５８とそのタブ部１３６との間に作動部材１０８が挟まれて止着されている。容易に理解されるように、以上の構成によれば、複数の作動部材１０８は、互いに間隔をおいて各ベーンの下縁のタブ部１３６に止着される一方で、各ベーン１０６の上縁１３０に関しては、その上縁１３０を支持シート材１０４に連結している連結直線の途切れ部を貫通して摺動可能に延在している。以上に説明した、複数のベーン１０６を、支持シート材と複数の作動部材とに連結するための連結方式を、最もよく示している図は、おそらく図１２、図１３、図１５、及び図１６である。
【００２５】
図１０及び図１１を見ればおそらく最も明瞭に理解されるように、各ベーン１０６の上縁のタブ部１３４の高さ（上下幅）は、各ベーン１０６の下縁のタブ部１３６の高さ（上下幅）より僅かに小さくして、このパネルが閉状態にあるときには、各ベーン１０６の下縁が、その直ぐ下のベーン１０６の上縁との間に重なり部を有するようにしてある。これによって、このパネル１０２が図１及び図９〜図１１に示した閉状態になったならば、このパネルを通して得られていた視界及び採光が遮断されるようになっている。
【００２６】
パネル１０２及び覆い１２２の作動の仕方を最もよく示している図は、おそらく図４〜図８である。図４は、パネルが完全に引込まれた状態を示しており、パネルは完全にローラ１１８に巻取られており、パネルの下縁がローラ１１８の背面側に位置している。この状態から、ローラ１１８を図４〜図８で見て反時計回りに回転させると、パネルが重力によって降下する。このとき、パネルは閉状態にあり、各ベーン１０６は略々平らな形状であって、その直ぐ下のベーン１０６との間に重なり部を有している。図６は、覆いが略々一杯に展張される直前の状態であり、この図６の状態になるまでパネルは平らな形状のまま閉状態を維持しており、図６の状態になると、支持シート材１０４をローラに止着している方の取付溝部１２４はローラの最上部に位置し、作動部材１０８をローラに止着している方の取付溝部１２６はローラの背面側に位置することになる。ここからローラを更に反時計回りに回転させて図７の状態になると、作動部材が止着されている第２溝部１２６が更に前進するために、図示のごとく、作動部材が支持シート材に対して相対的に上方へ引上げられ、そのため、それら作動部材が一斉に各ベーンの下縁１３２を引上げ、それによって各ベーンが折り畳まれ、外側へ向かって突出するように変形し、各ベーンの下縁がその直ぐ下のベーンの上縁１３４から離れることになる。ローラを更に反時計回りに回転させると、反時計回りの回転における回転限界位置に達して図８の状態になる。この状態になるとき、第２溝部１２６がローラの前面側へ移動するため、各ベーンの下縁が最大限に持上げられ、パネル及び覆いが全開状態となり、ベーンどうしの間の間隙１３８が最大限に開くことになる。また、この全開状態においては、ベーン１０６の横断面形状が略々二等辺三角形になっている。
【００２７】
ローラ１１８を図８に示した状態から逆方向に、即ち時計回りに回転させると、第２溝部１２６の位置が図７に示した位置に達したときに、各ベーンの下縁１３２が重力によって降下しはじめ、そこから更に図６に示した状態になったときに、各ベーンが、全閉状態になって、支持シート材１０４と略々同一平面上に位置するようになる。ローラを更に時計回りに回転させると、閉状態のパネルがローラに巻取られて、最終的には図４に示した引込状態になる。
【００２８】
以上の説明から明らかなように、覆い１２２は、図４に示した完全引込状態にすることもでき、また、ベーンが全閉状態にある覆い１２２を、任意の降下量だけ降下させることもでき、そして、図６に示したように、ベーンを１０６を全閉状態に維持したままでパネルを一杯に展張した状態とすることもできる。そして、そこから更にローラ１１８を回転させることによって、ベーンを開状態にして、ベーンどうしの間に間隙１３８が形成されるようにし、それによって、パネルを通して視界及び採光が得られるようにすることができる。尚、以上から理解されるように、ベーンが開状態となるのは、パネル１０２が一杯に展張された状態にあるときだけである。それ以外のときには、ベーンは閉状態にあり、そして、その状態で、建築物の開口部におけるパネルの展張量を任意の展張量とすることができる。
【００２９】
図１７〜図１９に示したのは、本発明の第２の実施の形態１６０である。この実施の形態でも、覆いはローラ１１８を備えており、このローラ１１８に支持シート材１０４及び複数の作動部材１０８が止着されている。また、支持シート材１０４及び作動部材１０８の止着の仕方も、第１の実施の形態と同じとされている。ただし、この第２の実施の形態では、ベーン（ストリップ部材）１６４は、ある程度の剛性を有する材料、即ち半剛性を有する材料で製作されており、折り目は形成されていない。図１７に示したように、閉状態にあるベーンは、垂れ下がったような形状を呈しており、支持シート材に近接して延在しているが、この図１７の状態から、ベーンを開状態へ向けて作動させると、ベーンは、略々上下対称形に変形して前方へ膨出し、図１８に示した半開状態を通過して、図１９に示した全開状態になる。容易に理解されるように、ベーンの製作材料として、半剛性材料を使用しているため、ベーンは、支持シート材から略々水平方向へ離れるように突出して膨出するのである。
【００３０】
図２０〜図２２に示したのは、本発明の第３の実施の形態１６６である。この実施の形態でも、ローラ１１８には２本の取付溝部１２４及び１２６が設けられており、支持シート材１０４は第１溝部１２４に取付けられ、複数の作動部材１０８は第２溝部１２６に取付けられている。ベーン（ストリップ部材）１６８は、この実施の形態においても、支持シート材及び作動部材に、第１及び第２の実施の形態におけるベーンと同様にして連結されており、ただしこの第３の実施の形態では、ベーンの材料として、それら実施の形態におけるベーンの材料と比べて、より剛性の小さい材料を使用している。即ち、この実施の形態におけるベーンの材料は、かなりの可撓性を有する材料であり、ベーンが閉状態であるか開状態であるかにかかわらず、下方に垂れ下がるような材料である。図２０に示した閉状態にあるとき、各ベーンは、その最下端の部分が、直ぐ下のベーンの最上端の部分との間に重なり部を有しており、ベーンが半開状態になったときには、各ベーンの下縁がある程度持上げられて、ベーンどうしの間に間隙１３８が画成されている。図２２に示したように、各ベーンの下縁が一杯に持上げられたならば、ベーンどうしの間の間隙１３８が図２１に示した半開状態のときより大きくなるが、ただし、この状態になっても、その間隙１３８の大きさは、第１及び第２の実施の形態において画成される間隙ほど大きくはならない。
【００３１】
図２３〜図２５に示したのは、本発明の第４の実施の形態１７０である。この実施の形態の覆いにおいても、ローラ１１８には、互いに周方向に離隔した２本の取付溝部１２４及び１２６が設けられており、第１溝部１２４には支持シート材１０４が止着され、第２溝部１２６には複数の作動部材１０８が止着されている。また、この実施の形態でも、ベーン１７２は、先に説明した様々な実施の形態と同様の連結の仕方で、支持シート材及び複数の作動部材に連結されている。ベーン１７２の材料は、図１〜図１６に示した第１の実施の形態と同様に半剛性材料である。ベーン１７２の形状は、第１の実施の形態におけるベーンの形状と類似しているが、ただし、ベーンの長手方向である水平方向に延在する折り目１７４の形成位置を、ベーンの下縁１７８よりも上縁１７６の方に寄せた点が異なっている。そのため、この実施の形態でも、ベーンは長方形の上側部分１８０と下側部分１８２とに区分されているものの、上側部分１８０は下側部分１８２より僅かに小さい。このベーン１７２を、図２３に示した閉状態から、図２４に示した半開状態を通過させ、図２５に示した全開状態にしたならば、このベーンの断面形状は略々直角三角形になり、この点は、第１の実施の形態において二等辺三角形になるのと異なっている。
【００３２】
図２６〜図２８に示したのは、本発明の第５の実施の形態１８４である。この実施の形態でも、ローラ１１８には、支持シート材１０４を止着するための第１溝部１２４と、複数の作動部材１０８を止着するための第２溝部１２６とが設けられており、また、ベーン１８６は作動部材１０８に連結されており、これらに関しては第１〜第４の実施の形態と同じである。ただし、この第５の実施の形態では、各ベーン１８６は、外側のストリップ部材（細長い板状部材）１８８と、内側のストリップ部材（細長い帯状部材）１９０とで構成されており、外側のストリップ部材１８８は、図２３〜図２５に示した第４の実施の形態のベーンと同様に半剛性材料で製作され、内側のストリップ部材１９０は、図２０〜図２２に示した第３の実施の形態のベーンと同様に可撓性材料で製作されている。可撓性を有する内側のストリップ部材１９０と、半剛性を有する外側のストリップ部材１８８とは、それらの上縁どうし、及び下縁どうしが連結されており、このようにして互いに接続された２つのストリップ部材１８８、１９０から成る全体が、先に説明した実施の形態と同様の連結の仕方で支持シート材１０４に連結されている。そのため、この実施の形態においても、複数の作動部材１０８は、各ベーンの上縁と支持シート材とを連結している直線状連結部を貫通して摺動可能に延在している一方で、各ベーンの下縁には固定状態で止着されている。従って、この覆いが図２６に示した閉状態にあるとき、各ベーンは、平らにつぶれた状態にあり、支持シート材と略々同一平面上に位置している。そして、この図２６の状態から、図２７に示した半開状態を通過させ、図２８に示した全開状態にしたときには、可撓性を有する内側のストリップ部材１９０が、半剛性を有する外側のストリップ部材１８８の内部にあることによって、それらストリップ部材の間にセル部（閉空間）が形成されている。ただし、閉空間とはいうものの、支持シート材の左右の側端部１１４及び１１６に位置している、このセル部の両端においては、このセル部が開いていることはいうまでもない。この第５の実施の形態１８４では、覆いの機能性及び美観性を様々なものとすることができ、例えば、可撓性を有する内側のストリップ部材を不透明材料で製作し、半剛性を有する外側のストリップ部材を光透過性ないしは無色透明な材料で製作すれば、図２８に示した全開状態ではベーンどうしの間に形成される間隙を通して視界が得られ、図２６に示した閉状態では不透明な内側部材によって視界が完全に遮断されるようにすることができる。更にその他の様々なものとすることも容易であり、例えば、内側のストリップ部材から成る層と、外側のストリップ部材から成る層とを、互いに異なった色彩、ないしは互いに異なった光透過特性のものとすることによって、様々な効果を得ることができる。
【００３３】
図２９〜図３１に示したのは、本発明の第６の実施の形態１９２である。これらの図から明らかなように、この実施の形態は、図２６〜図２８に示した実施の形態と非常に類似した構成を有しており、ローラ１１８に第１溝部１２４及び第２溝部１２６が設けられていることも同様である。ただし、この第６の実施の形態では、それら２本の溝部１２４、１２６が周方向に１８０°離隔して配置されている点、それに、支持シート材１０４がローラの背面側からではなく前面側から吊下されている点が異なっている。この第６の実施の形態でも、支持シート材は一方の溝部１２４に止着されており、可撓性を有する複数の作動部材１０８は他方の溝部１２６に支持されている。ベーン１９４は、図２６〜図２８の実施の形態におけるベーンと同様に、半剛性を有する外側のストリップ部材１９６と、可撓性を有する内側のストリップ部材１９８とで構成されており、また、このベーン１９４は、図２６〜図２８の実施の形態におけるベーンと同様の連結の仕方で、支持シート材及び複数の作動部材に連結されている。この第６の実施の形態では、ベーン１９４は、図２９に示した閉状態にあるときには、支持シート材と略々同一平面上に位置しており、この図１９の状態から、ローラを反時計回りではなく時計回りに回転させると、ベーンは図３０に示した半開状態を通過して図３１に示した全開状態になる。
【００３４】
図３２〜図３４に示したのは、本発明の第７の実施の形態２００である。これらの図から明らかなように、この実施の形態でも、ローラ１１８には、２本の取付溝部１２４及び１２６が設けられており、一方の溝部１２４は支持シート材１０４を支持しており、他方の溝部１２６は複数の作動部材１０８を支持している。この第７の実施の形態において、引用符号２０２を付した複数のベーンと、引用符号２０４を付した複数のベーンとは、いずれも単なるストリップ部材（細長い板状部材）であり、そのストリップ部材の上縁に沿って、内側へ折って更に下方へ折り返した折返し部（タブ部）２０６が形成されている。また、そのストリップ部材の横断面形状は、内方へ僅かに窪んだ凹面形状である。この覆いのパネルの最上段のベーンから始めてひとつおきのベーン２０２は、先に説明した様々な実施の形態におけるベーンの上端の連結の仕方と同じ連結の仕方で、それらベーン２０２の上縁に形成されたタブ部が支持シート材１０４に止着されており、そのため、複数の作動部材１０８は、その止着直線（直線状止着部）の途切れ部を貫通して摺動可能に延在している。また、パネルの上から２段目のベーンから始めて１つおきのベーン２０４は、先に説明した様々な実施の形態におけるベーンの下縁の連結の仕方と同じ連結の仕方で、それらベーン２０４の上縁に形成されたタブ部２０６が複数の作動部材１０８に止着されている。以上の構成により、この実施の形態の覆いは、各ベーンがその直ぐ下のベーンとの間に重なり部を有している図３２に示した全閉状態から、図３３に示した半開状態へ移行できるようになっており、この図３３に示した半開状態では、上から２段目のベーンから始めてひとつおきのベーン２０４が、作動部材によって上方へ引上げられはじめた状態であり、こうして引上げられる各ベーン２０４は、その直ぐ上のベーン２０２と支持シート材１０４との間に画成されているポケット部２０８の中へ入り込んで行く。図３４に示したように覆いが全開状態になったときには、上から２段目のベーンから始めて１つおきのベーン２０４の各々が、その直ぐ上のベーン２０２と支持シート材１０４との間に画成されているポケット部２０８の中に略々完全に収まっており、そのため、ベーン２０２とベーン２０４とから成るベーンペアどうしの間に間隙（開口）１３８が形成されており、この間隙１３８を通して採光及び視界が得られるようになっている。
【００３５】
図３５〜図３７に示したのは、本発明の第８の実施の形態２１０である。これらの図から明らかなように、この実施の形態においても、ローラ１１８には、互いに周方向に離隔した２本の取付溝部１２４及び１２６が設けられており、一方の溝部１２４は支持シート材１０４を支持しており、他方の溝部１２６は複数の作動部材１０８を支持している。この第８の実施の形態では、ベーン２１２は、図２３〜図２５に示した実施の形態のベーンと同様に、半剛性を有するストリップ部材２１４から成り、このストリップ部材２１４には上側タブ部２１６と下側タブ部２１８とが形成されており、上側タブ部２１６は支持シート材に連結され、下側タブ部２１８は作動部材に連結されている。また、このストリップ部材２１４は、その長手方向中心線より僅かに上方を延在する折り目２２０によって、上側部分２２２と下側部分２２４とに区分されている。ベーン２１２は、閉状態と突出状態との間で作動可能である。閉状態においては、ベーン２１２は、支持シート材１０４と略々同一平面上に位置している。突出状態においては、ベーン２１２は、その横断面形状が略々直角三角形となって、支持シート材から前方へ突出している。更に、この実施の形態では、横断面形状が彎曲形状の剛性または半剛性を有する矩形のスラット２２６を、半剛性を有するベーンの上側部分２２２に止着し、この矩形のスラット２２６の内縁２２８が支持シート材１０４に近接して位置するようにしている。スラット２２６は、その高さ（上下幅）が、ベーンの上側部分２２２の高さ（上下幅）の約２倍とされており、そのため、ベーンが図３７に示した開状態にあるときには、スラット２２６はベーンの上側部分２２２の突出量よりも大きな突出量をもって、支持シート材から前方へ突出している。ベーンが図３５に示した閉状態にあるときには、各スラット２２６は、その直ぐ下のスラット２２６との間に重なり部を有している。図３６は半開状態にあるベーンを示した図である。この図から明らかなように、この図３６の状態から、上下に隣り合うベーンの間に、間隙（開口）１３８が形成されはじめ、そして、図３７に示したようにベーンが全開状態になったときに、その間隙（開口）は最大になる。スラット２２６の横断面形状は、その内面側ないし下面側というべき側が僅かに窪んだ凹面形状であり、これによって、この覆いは、閉状態と開状態とのいずれにあるときも美観性に優れたものとなっている。
【００３６】
図３８〜図４０に示したのは、本発明の第９の実施の形態２３０である。この実施の形態においても、ローラ１１８には、互いに周方向に離隔した２本の取付溝部１２４及び１２６が設けられており、一方の溝部１２４は支持シート材１０４を支持しており、他方の溝部１２６は可撓性を有する複数の作動部材１０８を支持している。この覆いのベーン２３２は、内側部材２３４と外側部材２３６とで構成されており、外側部材２３６は、図２０〜図２２に示した実施の形態におけるベーンと同様の、可撓性を有するストリップ部材から成るものである。外側部材の上縁は、支持シート材１０４に止着されており、その止着部を貫通して複数の作動部材１０８が摺動可能に延在しており、それら外側部材の下縁は、複数の可撓性部材（作動部材）１０８に止着されている。以上の構成は、図２０〜図２２の実施の形態における構成と同様である。ベーンの内側部材２３４は、第２の可撓性ストリップ部材から成り、その高さ（上下幅）は、第１の可撓性ストリップ部材（外側部材）２３６の高さ（上下幅）よりも小さなものとされており、それによって、この覆いが図４０に示した開状態にあるときには、第２の可撓性ストリップ部材２３４が外側の可撓性ストリップ部材の中にあって垂れ下がった状態にあり、一方、この覆いが図３８に示した閉状態にあるときには、内側の可撓性ストリップ部材２３４が支持シート材１０４と略々同一平面上に位置するようになっている。外側のストリップ部材２３６は、この覆いが閉状態にあるときも垂れ下がった状態のままであり、これによって優れた美観性が得られている。図３９に、この覆いが半開状態にあるところを示した。この状態においては、上下に隣り合ったベーンの間に比較的小さな間隙（開口）１３８が形成されており、この間隙（開口）１３８は、この覆いが図４０に示した全開状態になったときに最大になる。ベーンを内側と外側のストリップ部材から成る二層構造のものとしたことには複数の目的があり、それら目的のうちの１つは断熱性の向上である。即ち、二層のストリップ部材の間に、閉じたセル部であるエアポケット部が形成され、このエアポケット部は支持シート材１０４の左右の側縁部１１４、１１６において、その両端が開いているが、それ以外の部分では閉じており、それによって断熱性が向上する。更に、様々な美観性に関する効果を得るという目的もあり、これは、内側と外側のストリップ部材の間で、透明度や色彩を異ならせることによって得られるものである。
【００３７】
図４１〜図４３に、本発明の第１０の実施の形態２３８を示した。この実施の形態においては、ローラ２４０に、１本だけの溝部２４２が設けられており、この溝部２４２に複数の作動部材１０８の上端が止着されている。ローラ２４０は、ヘッドレール２４４の内部に回転可能に取付けられている。ヘッドレール２４４は、その横断面形状が上下を逆転したＬ字形であり、前面板２４６と上面板２４８とを有している。前面板２４６には、垂れ飾り２５０が取付けられており、この垂れ飾り２５０は、垂れ下がったベーンと同じ形状とされている。この垂れ飾り２５０は、可撓性を有する材料で製作するのがよく、垂れ下がったベーンのループ状の下縁部と同じ形状の下縁部が、前面板２４６の下縁より更に下方に位置するようにするとよい。上下に並んで水平に延在している複数のベーン２５２は、垂れ飾り２５０と同一の横断面形状を有するものであり、ヘッドレールの前面板２４６から鉛直に吊下された支持シート材１０４に支持されている。各ベーン２５２は、上縁２５４及び下縁２５６を有しており、ただし、それら上縁２４５及び下縁２５６は支持シート材上の同一位置に、即ち、同一の水平線に沿って支持シート材に止着されている。その止着は、粘着テープ２５８による断続的な止着直線（直線状止着部）に沿って行われており、この止着の仕方は、図１〜図１６に示した実施の形態において各ベーンの上縁を支持シート材に止着しているのと同じ方式である。上下方向に並設されている複数のベーン２５２はいずれも、以上のようにして支持シート材に止着されており、各ベーン２５２のループ状の下端部が、その直ぐ下のベーンの上縁との間に僅かな重なり部を有するようにしてある。複数の作動部材１０８は、ベーンと支持シート材とを連結する粘着テープ２５８による断続的な止着直線における途切れ部（不図示）を貫通して延在しており、そのため、それら作動部材１０８は、粘着テープによる止着直線を貫通して摺動可能となっている。各作動部材１０８の下端は昇降バー２６０に連結されており、この昇降バー２６０は剛性または半剛性のバーであって、例えばポリエチレンなどのプラスチック材料で製作されるものであるが、その他の材料で製作することも可能である。図４１に示したように、この覆いが一杯に展張された（降ろされた）状態にあるとき、ローラ２４０を反時計回りに回転させると、それによって作動部材１０８がローラ２４０に巻取られるため、作動部材１０８によって昇降バーが引上げられ、上昇する昇降バーは、先ず、図４２に示したように、最下段の粘着テープによる直線状止着部に当接する。そこから更にローラ２４０を反時計回りに回転させると、上昇する昇降バーの上に、次々とベーン並びに粘着テープによる直線状止着部が積み重なって行き、最終的には、図４３に示したように、それらがヘッドレールの近傍にまで引上げられ、この状態になったときの、ループ状のベーンが積み重なっている様子は美観的にも優れたものである。
【００３８】
図４４に、本発明の覆いの更に別の実施の形態２６２を示した、この実施の形態は、図１〜図１６に示した実施の形態に非常に類似している。この実施の形態において、支持シート材１０４は、図示したように、向こう側が透けて見える薄手の布から成るシート材であり、この支持シート材１０４が、ローラ（不図示）の外周に設けられた第１溝部に連結されている。複数の半剛性のベーン２６４は、その各々が、上縁部及び下縁部に沿って折返し部（タブ部）２６６を備えており、長手方向の中心線に略々一致する位置に長手方向の折り目２６８が形成されており、支持シート材に支持されている。支持シート材によってそれらベーンを支持するために、各ベーンの上縁に沿って直線状に断続的に延在する粘着テープ２７０を使用しており、この断続的な粘着テープ２７０の途切れ部に間隙が画成されており、その間隙を作動部材２７２が貫通して延在している。図１〜図１６に示した実施の形態における作動部材はモノフィラメントのコードであったが、この実施例における作動部材２７２は、テープ状（リボン状）の部材である。テープ状（リボン状）の部材から成る複数の作動部材２７２は、それらの上端が、ローラ（不図示）の外周の、第１溝部から周方向に離隔した位置に設けられた第２溝部に連結されており、そのため、この実施の形態の覆いは、図１〜図１６に示した実施の形態の覆いと同様に作動するものとなっている。相違点は、モノフィラメントのコードに替えて、テープ状（リボン状）の部材を作動部材２７２としていることだけである。複数の作動部材２７２は、各ベーン２６４の下縁に連結されており、ローラが回転して、それら作動部材２７２が上方へ引上げられると、それら作動部材２７２によって、各ベーンの下縁が、そのベーンの上縁に対して相対的に上方へ持上げられる。
【００３９】
図４５〜図５２に、本発明の覆いの第１２の実施の形態２７４を示した。この実施の形態においても、ローラ１１８には、互いに周方向に離隔した２本の取付溝部１２４及び１２６が設けられている。先に説明した様々な実施の形態では、支持構造体を、向こう側が透けて見える薄手の布から成るシートから成るものとしていたが、この実施の形態では、支持構造体を、図示のごとく、互いに離隔して互いに平行に上下方向に延在する複数の可撓性を有する昇降部材２７８から成るものとしている。それら昇降部材２７８は、この実施の形態ではモノフィラメントのコードから成るものであるが、ただし、容易に理解されるように、その他の可撓性を有する部材を用いることも可能であり、例えば、紐状またはテープ状の様々な材料から成る部材や、天然素材及び剛性素材のコードなどを使用するようにしてもよい。それら昇降部材は、上端がローラの第１溝部１２４に止着されている。複数の作動部材１０８は、先に説明した様々な実施の形態における作動部材と同じものであり、この実施の形態でも、それら複数の作動部材が、互いに間隔をおいて、鉛直方向に吊下され、それらの上端がローラの第２溝部１２６に止着されている。この実施の形態におけるベーン２８０は、前面部材２８２と背面部材２８４とで構成されており、それら部材は、図１〜図１６に示した実施の形態におけるベーンと同様に構成されており、即ち、半剛性材料で製作されており、上縁及び下縁に沿って矩形の折返し部（タブ部）２８６が形成されており、長手方向中心線に略々一致する位置に折り目が形成されている。ベーンの前面部材２８２と背面部材２８４とは、背中合わせにして、昇降ｂふざい２７８及び作動部材１０８の両側に取付けられている。このパネルの前面側に位置するベーンの前面部材２８２は、このパネルの背面側に位置するベーンの背面部材２８４より僅かに大きく、そのため、前面部材２８２は背面部材２８４よりも、昇降部材の長手方向に沿って僅かに下方へ延出しており、このようにしたことの意図については後に説明する。前面部材２８２の上縁と背面部材２８４の上縁とは、互いに同じ高さ位置において、複数の昇降部材に止着されている。
【００４０】
ベーンの前面部材２８２の上縁、並びに背面部材２８４の上縁は、粘着テープ２９０によって複数の昇降部材に止着されており、これによって画成されるそれら上縁の間の間隙に、作動部材１０８が摺動可能に挿通されている。複数のベーン２８０は、所定の離隔距離をもって互いに離隔して配置されており、図４６に示したようにこの覆いが閉状態にあるときには、各ベーンの前面部材２８２の下縁が、その直ぐ下のベーンの前面部材２８２の上縁との間に重なり部を有しており、それによって全閉状態が得られている。
【００４１】
各ベーンの前面部材２８２及び背面部材２８４の下縁は、複数の作動部材１０８の長手方向の所定位置において、それら作動部材１０８に止着されている。そのため、この覆いを開位置へ向けて作動させて、作動部材を昇降部材に対して相対的に上方へ移動させることにより、各ベーンの下縁を引上げて、そのベーンの上縁へ近付けることができるようになっている。
【００４２】
以下に、この覆いの作動の仕方について説明する。図４６に示した状態では、パネルを構成している複数のベーン２３０が、ローラ１１８の背面側から吊下されており、複数の昇降部材２７８を支持している溝部１２４が、ローラの頂部付近に位置しており、複数の作動部材１０８を支持している溝部１２６が、ローラの背面側に位置している。また、同図に示した状態では、パネルは一杯に展張された（降ろされた）状態にあり、複数のベーンは閉状態にあり、各ベーンは、平らにつぶれた形状となっていて、昇降部材及び作動部材と平行になっており、それら部材と略々同一平面上に位置している。この覆いを巻上げるためには、ローラを時計回りに回転させればよく、それによって、パネルを構成している複数のベーンがローラに巻取られる。一方、図４６に示したようにパネルが一杯に展張されているときに、ベーンをその閉状態から開状態にするには、ローラを反時計回りに回転させるようにする。この回転によって、図４７に示した半開状態になったとき、昇降部材が止着されている方の溝部１２４はローラの背面側に位置しており、作動部材を支持ししている方の溝部１２６はローラの底部近傍に位置している。容易に理解されるように、溝部１２６が昇降部材から離れる方向に移動するにつれて作動部材は上方へ引上げられ、それによって各ベーンの下縁が引上げられる。ローラを更に反時計回りに回転させると、この覆いは図４８に示した全開状態になり、この状態になったとき、ベーンどうしの間に間隙１３８が画成されており、その間隙を通して視界及び採光が得られている。また、本発明のこの実施の形態では、ベーンの内部にセル部（閉空間）が形成されており、このセル部（閉空間）は、パネルの両側縁においてのみ開いており、昇降部材及び作動部材から前後に張り出した形状を有する空間である。この種のセルラ型の覆いは、従来のローラシェードなどでは得られなかった、断熱性を提供するという実用上の利点を有するものである。
【００４３】
図５３〜図５５に、本発明の第１３の実施の形態２９２を示した。この実施の形態においても、円筒形のローラ１１８には、互いに周方向に離隔した２本の溝部１２４及び１２６が設けられており、一方の溝部１２４は、複数の昇降部材２７８から成る昇降部材セットの状他員を固定するために用いられており、他方の溝部１２６は、複数の作動部材１０８から成る作動部材セットの上端を固定するために用いられている。図４５〜図４５に示した実施の形態と同様に、各ベーン２９４は、前面部材２９６と背面部材２９８とで構成されているが、ただし、各ベーン２９４の横断面形状は、略々涙滴型である。ベーンの前面部材２９６は、その下縁に、内側へ折った後に更に下方へ折って延出させた延出部（タブ部）３００を有しており、一方、ベーンの背面部材２９８は上縁に、内側へ折った後に更に上方へ折って延出させた延出部（タブ部）３０２を有している。前面部材２９６と背面部材２９８とは、殆ど同一形状であり、ただし、互いに上下が逆になっている。各ベーンの上縁は、断続的な粘着テープによって昇降部材２７８に連結されており、断続的な粘着テープの間に形成された間隙に作動部材１０８が摺動可能に挿通されている。作動部材１０８は、ベーンの前面部材の下縁及び背面部材の下縁に連結されている。本発明のこの実施の形態の作動の仕方は、図４５〜図５２に示した実施の形態と同じである。図５３に示した状態では、この覆いが一杯に展張された（降ろされた）状態にあり、ベーンは閉状態にあるため、各ベーンの前面部材は、その直ぐ下のベーンとの間に僅かな重なり部を有している。また、各ベーンによって、セル部（閉空間）が形成されており、このセル部はパネルの両側縁においてのみ開いている閉空間である。昇降部材及び作動部材は、ベーンの内部に形成されたセル部の中心を通って上下方向に延在している。この覆いを開状態へ向けて作動させると、図５４に示したように、セル部の下縁が上縁へ向かって上昇しはじめ、そのためセル部は前方及び後方へ突出しはじめる。最終的に、この覆いが図５５に示した全開状態になったならば、上下に隣接するセル部の間に間隙が画成され、その間隙を通して視界及び採光が得られるようになる。
【００４４】
図５６ａ〜図５６ｃに、本発明の第１４の実施の形態を示した。この実施の形態においては、細長い板状部材から成る複数のベーン３０４が、支持構造体３０６に支持されている。支持構造体３０６は、先に説明した様々な実施の形態と同様に、向こう側が透けて見える薄手の布から成るシート材としてもよく、また、複数の可撓性の支持部材から成るものとしてもよい。ベーン３０４は、剛性を有する材料、または、半剛性を有する材料で背３位策するものであり、等間隔の折り目位置３０８において、交互に折り返すように折り目が付けられており、折り目と折り目とに挟まれた平坦部分３０９は、折り目において、隣接する平坦部分３０９に対して相対的に揺動するようにしてある。ベーンを形成している細長い板状部材の上縁に、下方へ折り返した折返し部（タブ部）３１０が形成されており、このタブ部３１０は、断続的に延在する粘着テープによって、支持構造体３０６に連結されて支持されている。この粘着テープによる連結の仕方は、先に説明した様々な実施の形態における連結の仕方と同じであり、断続的な設けられた粘着テープの間に存在する途切れ部に、可撓性を有する作動部材（制御部材）３１２が摺動可能に挿通されている。制御部材３１２は、ベーンを形成している細長い板状部材の下縁に形成されている上方へ折り返した折返し部（タブ部）３１４に止着されている。以上の構成によれば、複数の作動部材が上下動すれば、ベーンの上縁の下向きの折返し部３１０を支持構造体に連結している連結部の途切れ部を貫通して延在している作動部材が摺動するために、ベーンの下縁が上下動することになる。
【００４５】
図５６ａは、本発明の第１４の実施の形態が、一杯に展張された（降ろされた）状態にあり、しかも閉状態にあるところを示した図である。この状態にあるとき、各ストリップ部材（ベーン）３０４は、一杯に展張されて（引き伸ばされて）、略々平らにつぶれた形状を呈しており、支持構造体３０６の前面に近接して位置している。この覆いが完全展張状態にあるときに、パネルを吊下しているロールバー３１６を、反時計回りに回転させると、作動部材３１２が上方へ引上げられ、それによって、各ベーンの下縁が、支持構造体に対して相対的に上方へ持上げられる。更に、各ベーンには、予め複数の折り目が形成されているため、各ベーンは折り畳まれながら上方へ移動し、その際に、各ベーンの、折り目と折り目との間の平坦部分３０９が、それに隣接する平坦部分３０９に対して相対的に揺動し、それによって、横断面形状が三角形のセル部（閉空間）３１８が形成され、このセル部（閉空間）３１８は、両端のみが開いている空間である。る。このセル部が形成される過程を示したのが図５６ｂであり、ベーンが一杯に折り畳まれて、ベーンとベーンとの間に間隙３２０が形成された状態を示したのが図５６ｃである。
【００４６】
以下に図５７〜図６４を参照して、以上に説明した様々なパネルのいずれと組合せても使用することのできるハードウェアシステムについて説明する。それらの図には、ハードウェアシステムを説明することを主眼として、図５７〜図３８に示したパネルと略々同様のパネル３２２を図示した。ただし、このパネル３２２を構成しているベーン３２４は、図３８〜図４０に示したパネルのベーンと比べて、より剛性の高い材料で製作したものであり、そのため、支持構造体３２６から垂れ下がるのではなく、支持構造体３２６から外方へ膨出するようなベーンとなっている。
【００４７】
先ず図５７について説明すると、図示のごとく、この覆いのパネル３２２を支持するためのヘッドレール３２８は、一対のエンドキャップ３３０を備えており、それらエンドキャップ３３０は、ヘッドレール３２８の長手方向に延在する正面パネル３３２を支持している。正面パネル３３２は、ヘッドレールの上面の一部にまで亘って延在しており、図示のごとく、取付ブラケット３３４（図中に破線で示した）を介して、一般的な方法で支持されるようにしてある。取付ブラケット３３４は、建築物の開口部の周囲の枠部などに固定されるものである。ヘッドレール３２８は、多くの場合、建築物の開口部の上辺に取付けられる。ヘッドレール３２８は、図５９ａなどに示したローラ（ロールバー）３３６を備えており、このローラ３３６の外周にパネル３２２を巻取ることで、覆いを巻取った状態ないし部分的に巻取った状態にすることができるようにしたものである。ローラ３３６は、エンドレス型の制御コード３３８によって、作動機構を介して駆動されるようにしてある。作動機構としては、例えば米国特許第6,289,964号公報に記載されているものなどを使用することができ、同米国特許公報の開示内容はこの言及をもって本願開示に組込まれたものとする。この作動機構においては、エンドレス型の制御コード３３８を、いずれの方向にも循環させることができるようにしてあり、それによって、ロールバー３３６をいずれの方向にも回転させて、この覆いのパネルを展張状態と引込状態との間で作動させることができるようにしてある。展張状態では、パネルはロールバー３３６から引出されて展張されているが、ただし、ロールバー３３６から吊下された状態にあり、これは、パネルの様々な実施の形態に関連して既に説明したとおりである。一方、引込状態にあるときのパネルは、ロールバー３３６に巻取られている。これら２つの状態の間の作動について以下に更に詳細に説明する。
【００４８】
図５９〜図６２において、この覆いのパネル３２２は、図示したように、ボトムレール３４０を備えており、このボトムレール３４０は、先に部材１１７として、概略的に言及したものである。ボトムレール３４０は、パネルの下縁に重量を付加するために用いられており、重量を付加するのは、パネルを支持しているロールバーを作動させて、パネルが重力によって降下できる状態としたときに、より容易にパネルが降下するようにするためである。後に更に詳細に説明するように、ボトムレール３４０は、２つの構成部品をヒンジ部材で揺動可能に連結した構造を有するものであり、パネルを構成している支持構造体３２６及び複数の作動部材３１２と協働して、覆いの下縁の外観に完璧な美観を付与するものである。２つの構成部品を揺動可能に連結して構成したこのボトムレールは、更に、ヘッドレールの内部に装備された調節可能なストッパ３４４と協働して、引込方向へのローラの回転に対して回転限度位置を定めるものでもある。換言するならば、パネルがヘッドレールの内部に完全に引込まれた状態になったときに、このボトムレール３４０は、調節可能なストッパ３４４と係合することによって、ロールバー（ローラ）がその方向に更に回転するのを阻止するものである。調節可能なストッパと、このボトムレールとが、どのように協働するかに付いて、以下に更に詳細に説明する。
【００４９】
図５９ａにおいて、ロールバー３３６には、パネルの様々な実施例に関連して先に概略的に説明したように、周方向に１８０°離隔した２本の溝部３４６及び３４８が設けられており、一方の溝部３４６には、支持構造体３２６の上端が止着され、他方の溝部３４８には、複数の作動部材３１２の上端が止着されている。作動部材３１２の下端には、支持構造体３２６の下縁と、ダミーベーン（ダミーストリップ部材）３５０の下縁とが止着されており、それら下縁はいずれも、ボトムレール３４０に固定されている。これを最もよく示している図は、おそらく図５９ｂ及び図５９ｃである。これらの図から明らかなように、ボトムレール３４０は、押出成形品である大きい方の構成部品３５２と、同じく押出成形品である小さい方の構成部品３５４とで構成されており、大きい方の構成部品３５４が小さい方の構成部品３５４の下方に位置している。それら構成部品３５２、３５４は、ヒンジ部材３５６を介して互いに連結されており、このヒンジ部材３５６は、プラスチック材料などの剛性または半剛性を有する材料で製作される細長いストリップ部材であり、その両側縁に、膨出形側縁部３５８が形成されている。ダミーストリップ部材３５０は、パネルのベーン（ストリップ部材）３２４の材料と同一の材料で製作したストリップ部材とすることが好ましい。ダミーストリップ部材３５０は、その上縁（不図示）が、パネルの最下段のベーン（ストリップ部材）３２４の下縁に止着されており、また、その下縁３６２が、以下に説明するようにして、ボトムレールに固定されている。
【００５０】
ボトムレールを構成している２つの構成部品のうちの、大きい方の構成部品３５２は、僅かに彎曲して円弧形を成す本体部３６４を有しており、この本体部３６４の上縁には、突出縁部３６６が形成され、また、その上縁の近傍には突出取付部３６８が形成されている。突出取付部３６８には、溝部３７０が形成されており、この溝部３７０に、ヒンジ部材３５６の一方の膨出形側縁部３５８が揺動可能に嵌合されている。大きい方の構成部品３５２の下縁３７２は、彎曲した形状であって、横断面形状が略々Ｔ字形の突出部３７４から離隔している。それら下縁３７２と突出部３７４との間にポケット部３７６が画成されており、このポケット部３７６の中に、図５９ｃに示したように、このパネルのダミーストリップ部材３５０の下縁を固定するようにしている。ダミーストリップ部材３５０の下縁が、固定用ストリップ部材３７８の周囲に巻回されており、この固定用ストリップ部材３７８が、大きい方の構成部品３５２の彎曲した下縁３７２と断面Ｔ字形の突出部３７４との間に画成されたポケット部３７６に嵌合されている。図５９ｂは、ダミーストリップ部材の別の固定の仕方を示した図であり、図示のごとく、ダミーストリップ部材を、大きい方の構成部品３５２の彎曲した下縁３７２に沿って折り返し、彎曲した本体部３６４の前面に沿って延在させて、更に上縁３６６で折り返すようにし、粘着テープなどを用いて固定するようにすればよい。支持構造体を図５９ｃに示したように固定する場合も、また、図５９ｂに示したように固定する場合も、いずれの場合も支持構造体は、大きい方の構成部品３５２の下縁に固定されている。
【００５１】
断面Ｔ字形の突出部３７４と、取付部３６８との間に、第２のポケット部３８２が画成されており、この第２のポケット部３８２は、図５９ｄに示したように、ボトムレール３４０のエンドキャップのリブ部３８４を嵌合するためのものである。
【００５２】
ボトムレールの小さい方の構成部品３５４は、図５９ｂ及び図５９ｃに示したように、大きい方の構成部品３５２の上方に位置しており、凹面形状の本体部３６６を有する部材である。また更に、この小さい方の構成部品３５４の下縁３８８には、溝部３９０が形成されており、この溝部３９０に、ヒンジ部材３５６の両側縁の膨出縁部のうち、大きい方の構成部品３５２に連結されている膨出縁部とは反対側の膨出縁部３５８が揺動可能に嵌合されている。ボトムレールの小さい方の構成部品３５４の上縁３９２は彎曲しており、凹面形状の本体部から突出した凸条部３９６と、この彎曲した上縁部３９２との間に、ポケット部３９４が画成されている。このポケット部３９４に、支持構造体３２６の下縁が固定される。支持構造体３２６の下縁は、剛性または半剛性の固定用ストリップ部材３９８の周囲に巻回され、この固定用ストリップ部材３９８が、ポケット部３９４の中に嵌合されている。
【００５３】
以上の説明からも明らかなように、作動部材３１２は、図５９ｂ及び図５９ｃに示したように、ボトムレールの大きい方の構成部品３５２の下縁に、ダミーベーン３５０を介して作用的に固定されており、一方、支持構造体３２６は、図５９ｂ及び図５９ｃに示したように、ボトムレールの小さい方（上方に位置する方）の構成部品３５４の上縁に連結されている。そして、更に、ボトムレールを構成するそれら２つの構成部品３５２、３５４は、ヒンジ部材を介して互いに揺動可能に連結されている。
【００５４】
図５９ｄは、ボトムレールの大きい方の構成部品３５２及び小さい方の構成部品３５４と、それら２つの構成部品を連結するヒンジ部材３５６と、それら２つの構成部品の夫々に装備されるエンドキャップ３８６とを示した分解図である。エンドキャップ３８６を装備するのは、美観を向上させるためでもあり、また、ヒンジ部材と、支持構造体を固定するための固定用ストリップと、ダミーベーンを固定するための固定用ストリップとが、ボトムレールの構成部品に３５２、３５４から外れないようにするためでもある。
【００５５】
図６１は、パネル３２２の下端に取付けられたボトムレール３４０を示した図であり、この図に示したのは、パネル３２２がロールバー３３６から一杯に引出されて展張された（降ろされた）位置に達する状態の状態である。図６２、図６２ａ、図６２ｂ、及び図６２ｃは、作動状態の説明図であり、パネルを作動させて、ロールバーに巻取られた引込状態から、完全展張状態へ移行させる際に、ボトムレールが、支持構造体３２６及びダミーベーン３５０と、またロールバーと、どのように協働するかを説明するための図である。
【００５６】
先ず図６２について説明すると、同図に示したパネル３２２は、略々一杯に展張された状態にある。図から明らかなように、ボトムレール３４０の大きい方の構成部品３５２と小さい方の構成部品３５４とは、いずれも鉛直に立った姿勢を取っており、しかも、同一鉛直平面上に位置している。ロールバー（ローラ）３３６の２本の溝部のうち、作動部材３２１が固定されている方の溝部３４８は、このロールバー（ローラ）３３６の左側に位置しており、一方、支持構造体３２６が連結されている方の溝部３４６は、このローラの右側に位置している。また、支持構造体３２６はローラ３３６の上側を回り込むようにして延在している。図６２ａは、ローラを反時計回りに４分の１回転させたところを示した図であり、ボトムレールは、その下限位置まで降下しており、この覆いを取付けた、例えば窓などの、建築物の開口部の枠部に近接して位置している。図６２ｂは、ローラを反時計回りに更に４分の１回転させたところを示した図であり、図から明らかなように、作動部材が固定されている方の溝部３４８は、ローラの右側に移動して、作動部材を引上げており、そのため、作動部材の下端に連結されているダミーベーンが３５０が、作動部材によって上方へ引上げられている。その結果、支持構造体３２６が下方へ移動するのにあわせてボトムレールの上縁が下方へ移動しているのに対して、ボトムレールの下縁が引上げられている。そして、この運動によって、ボトムレールの下縁が、図６２ｂに示したように、前方へ移動している。ローラを反時計回りに更に回転させると、作動部材が固定されている方の溝部３４８がローラの頂部へ移動するために、作動部材を更に上方へ引上げ、それと共に、ボトムレール３４０の下縁も上方へ移動するが、一方、支持構造体が固定されている方のローラの溝部３４６が、ローラの左側から底部へ移動するために、支持構造体は下方へ移動し続け、それによって、図６２ｃに示した状態になる。同図から明らかなように、この状態になるときには、ボトムレールの上縁だった部分が、下方へ移動して、建築物の開口部の枠部に近接した位置へ移動し、その一方で、ボトムレールの下縁だった部分が上方へ移動するため、ボトムレールの全体としては、枠部に近接した位置にそのままとどまることになる。以上の作動過程では、各ベーン３２４が持上げられて開状態になることによって、上下に隣り合ったベーンどうしの間に間隙４０２が形成され、その間隙４０２を通して採光及び視界が得られるようになる。尚、図６２ｄに斜視図で示したパネル３２２は、図６２ｃに示した状態にあるパネル３２２を示したものである。
【００５７】
図６３〜図６３ｄに、本発明の覆いの１つの変更例を示した。この変更例においては、２つの構成部品で構成されていたボトムレールを、３つ以上の構成部品から成るボトムレール４０４に替えたものであり、特に、図示例のボトムレール４０４は、５つの構成部品４０６で構成されている。この変更例のボトムレールを最も明瞭に示した図は、おそらく図６３ａ及び図６３ｂであり、それらの図から明らかなように、ボトムレールを構成する５つの構成部品４０６は、互いに同一構造であり、互いに揺動可能に連結されており、その各々が、横断面形状が円弧形状の本体部４０８と、内向きの突出縁部４１０及び４１２とを備えている。突出縁部４１０及び４１２は、構成部品４０６の凹面側に設けられており、構成部品４０６の長手方向に延在する上縁及び下縁の夫々に沿って形成されている。５つの構成部品４０６は、窓覆いの全幅に亘って延在する細長い部材である。各構成部品４０６の突出縁部は、その構成部品４０６の凹面を成す本体部と協働してポケット部４１４を画成しており、このポケット部４１４に固定用ストリップ部材４１６が嵌合される。固定用ストリップ部材４１６は、構成部品４０６の全長に亘って延在する部材であり、作動部材３１２と共に移動するダミーストリップ部材３５０を構成部品４０６に止着し、また、支持構造体３２６を構成部品４０６に止着するために用いられており、図示例の支持構造体３２６は、向こう側が透けて見える薄手のシートである。
【００５８】
ダミーストリップ部材３５０は、作動部材３１２と共に移動するようにしたものであって、その下方部分が、図６３ａに示したように、ボトムレール４０４を構成している５つの構成部品４０６のうちの上側の３つの構成部品４０６に固定されている。ダミーストリップ部材３５０は、可撓性を有する部材であり、図示のごとく、覆いのパネル３２２の最下段のベーン３２４の下縁に連結されており、そこから更に下方へ延在して、ボトムレールの最上段の構成部品４０６の上側の突出縁部４１０を回り込み、更に下方へ延在して、この最上段の構成部品４０６の下側の突出縁部４１２を回り込んで延在している。ダミーストリップ部材３５０は、固定用ストリップ部材４１６によって最上段の構成部品４０６に固定されており、この固定用ストリップ部材４１６は、剛性または半剛性を有する部材であって、最上段の構成部品４０６の凹面側に画成されているポケット部４１４に嵌合されている。ダミーストリップ部材３５０は、そこから更に下方へ延在して、ボトムレールの上から２段目の構成部品４０６の上側の突出縁部４１０を回り込み、更に、この上から２段目の構成部品４０６の下側の突出縁部４１２を回り込んで延在している。ダミーストリップ部材３５０は、２本目の固定用ストリップ部材４１６によって上から２段目の構成部品４０６に固定されており、この２本目の固定用ストリップ部材４１６は、この上から２段目の構成部品４０６のポケット部４１４に嵌合されている。ダミーストリップ部材３５０は、更に、ボトムレールの上から３段目の構成部品４０６の上側の突出縁部４１０を回り込んで延在しており、この構成部品４０６のポケット部４１４に嵌合されている固定用ストリップ部材４１６によって、この構成部品４０６に固定されている。
【００５９】
図示した覆いの支持構造体３２６は、向こう側が透けて見える薄手のシート材から成るものであり、下方へ延在してボトムレールの下縁へ至り、そこで、ボトムレールを構成している５つの構成部品４０６のうちの最下段の構成部品４０６に固定されている。この固定は、最下段の構成部品４０６の凹面側に画成されているポケット部４１４に嵌合されている固定用ストリップ部材４１６によって行われている。支持構造体３２６は、そこから上方へ延在してこの最下段の構成部品４０６の上側の突出縁部４１０を回り込み、更に、ボトムレールの下から２段目の構成部品の下側の突出縁部４１２を回り込んで延在している。支持構造体３２６は、そこから更に上方へ延在して、下から２段目の構成部品の上側の突出縁部を回り込み、そして、固定用ストリップ部材４１６によって、この下から２番目の構成部品に固定されている。支持シート（支持構造体）３２６は、そこから更に、先に言及した上から３段目の構成部品の下側の突出縁部４１２を回り込んで延在しており、そして、先に言及した固定用ストリップ部材４１６によって、この上から３段目の構成部品に固定されている。
【００６０】
図３６ｃ及び図６３ｄは、図６３、図６３ａ、及び図６３ｂに示したボトムレールを備えた覆いの作動状態を示した図である。図６３ｃは、覆いのパネル３２２が、その下限位置まで一杯に展張された状態を示している。ローラに設けられている２本の溝部のうちの一方の溝部３４８は、作動部材３１２が固定されている溝部であり、従って、ダミーストリップ部材３５０が止着されている溝部である。図６３ｃに示した状態は、ローラを反時計回りに回転させて、この溝部３４８がローラの右側にきたときの状態である。ここから更にローラを反時計回りに回転させると、それによって、ボトムレール４０４の下縁が上方へ持上げられる一方で、ボトムレールの上縁は降下し続ける。なぜならば、ボトムレールの上縁は支持構造体３２６に連結されており、この支持構造体３２６が止着されている溝部３４６は、ローラの左側に位置しているからである。ローラを反時計回りに更に回転させると、支持構造体３２６を支持している溝部３４６がローラの底部へ移動するため、支持構造体３２６は更に降下し続けるが、一方、作動部材が止着されている溝部３４８がローラの右側からローラの頂部へ移動するため、ボトムレールの下縁が更に上方へ持上げられ、その結果、ボトムレールは、その横断面形状が図３６ｄに示したように、略々Ｕ字形を呈するようになる。更に、以上の作動の過程において、先に説明したように、複数のベーン３２４の夫々の下縁が上方へ持上げられるため、図６３ｄに示したように、ベーンどうしの間に間隙４０２が形成される。
【００６１】
図６４〜図６４ｄは、先に説明した図６２〜図６２ｄの覆いに用いることのできる、更に別の実施の形態に係るボトムレールを示した図である。図６４に示した覆いのパネル３２２は、一杯に展張された状態にあり、ただし、ベーン３２４は閉状態にある。パネル３２２の下方に吊下されているボトムレール４１８は、上方が開放した断面Ｕ字形の本体部４２０を有する。この断面Ｕ字形の本体部４２０の中に、細長いローラ４２２が回転可能に軸支されている。ローラ４２２には、ダミーストリップ部材３５０が、その背面がこのローラ４２２の周面に接触するようにして巻装されている。支持構造体３２６は、図示例では向こう側が透けて見える薄手の布から成り、ローラ４２２を回り込んだダミーストリップ部材３５０の先端は、この支持構造体３２６の背面に連結されている。図６４ｃ及び図６４ｄは、この実施の形態のボトムレールを備えた覆いの作動状態を示した図である。図６４ｃにおいて、ローラ３３６に設けられている２本の溝部のうち、溝部３４８は、作動部材３４６が固定されている溝部であり、従って、ダミーストリップ部材３５０が作用的に連結されている溝部である。図６４ｃに示した状態は、ローラ３３６を反時計回りに回転させて、この溝部３４８がローラ３３６の右側にきたときの状態であり、このとき、作動部材の引上げが始まっている。作動部材が引上げられているときには、ローラ３３６の右側が上方へ移動しているのであるから、ローラ３３６の左側は下方へ移動しており、薄手の布から成る支持構造体３２６をローラ３３６に取付けている溝部３４６はローラの左側にあるため、支持構造体３２６は下方へ移動する。従って、ダミーストリップ部材３５０が作動部材３４６と共に移動することから、作動部材３４６が上方へ引上げられるときには、ダミーストリップ部材３５０の全体のうちの前面側部分が上方へ引上げられ、一方、支持構造体に連結されているダミーストリップの背面側部分は、支持構造体と共に下方へ移動する。図６４ｄに示した状態では、作動部材が固定されている溝部３４８がローラの頂部へ移動しており、複数のベーン３２４の夫々の下縁を下限位置から持上げて、ベーンどうしの間に間隙４０２が形成されている。ダミーストリップ部材３５０の全体のうち、ボトムレールの中に装備されているローラ４２２に巻装されている部分は、このローラ４２２の回転に合わせて、ボトムレールの本体部４２０の内部を単に通過するだけであるため、ボトムレールの位置は、この覆いが取付けられている建築物の開口部の枠部に近接した下限位置から移動しない。当業者には容易に理解されるように、この種のボトムレールを、ローラを装備したものとすることは必ずしも必要ではなく、例えば、彎曲形状の固定表面を備え、その固定表面が、ダミーストリップが滑動することのできる滑らかな摺動面であるようなものとすれば、十分に機能し得るボトムレールとなる。
【００６２】
図６５に示した例からも分かるように、ボトムレールそれ自体も、必ずしも必要なものではない。例えば、パネル３２２上の、このパネル３２２の下縁４２５から上方に離隔した適宜の位置に、適宜の重量を有するロッドなどの部材４２３を装着し、その部材の重量によって、パネル３２２がヘッドレール（不図示）から適切に吊下された状態が得られるとともに、作動部材３４６が複数のベーン３２４の夫々の下縁を引上げる際に必要とされる適当な大きさの抵抗力が得られるようにすれば、ボトムレールそれ自体を省略することができる。より具体的には、図６５に示したように、パネルの下縁から上方に離隔した位置に配置されているベーンの内部に、ポケット部４２７を形成する。このポケット部４２７は、ベーンの材料と同じ材料で形成するとよい。このように、ポケット部４２７をベーンの内部に形成することで、適当な重量を有する細長いロッド４２３を、目に触れないように隠した状態で、このポケット部の中に収容することができる。この構成によれば、パネルがロールバーから巻出される際に、ロッド４２３の重量によって、パネルが適切に鉛直方向に吊下された状態を得ることができる。また更に、ロッド４２３が、このロッドを収容するベーンの下縁近傍に収容されるため、作動部材を上方へ移動させることでベーンの下縁を引上げてベーンを開状態にする際に必要とされる適宜の抵抗力が、ロッド４２３によって得られると共に、作動部材を下方へ移動させてベーンを閉状態へ向けて作動させる際に必要とされるベーンの下縁の下方への移動が、ロッド４２３によって好適に行われるようになる。重量付与部材としてのロッド４２３の適切な重量は、当業者には容易に決定できるものであり、以上に説明した覆いの作動を可能にするような、適宜の重量に選択すべきであることはいうまでもない。また、容易に理解されるように、重量付与部材としてのロッドを装備する位置を、パネル３２２の下縁の近傍としているため、パネル３２２の全体のうち、重郎付与部材としてのロッドより下方に吊下される部分の長さは短く、その部分については、鉛直方向の吊下状態を保持するための重量付与部材は不要である。
【００６３】
既述のごとく、本発明の覆いに用いるハードウェアは、ヘッドレール３２８を備えており、このヘッドレール３２８は一対のエンドキャップ３３０を有し、それら一対のエンドキャップ３３０は正面パネル３３２を支持している。エンドキャップ３３０は更に、ローラ（ロールバー）３３６を、その長手方向軸心を中心として回転可能に支持している。ローラ３３６は、エンドレス型の制御コード３３８によって、両方向に回転させることができるようにしてある。先に言及した調節可能なストッパ３４４は、エンドキャップ３３０上の複数の所定位置のうちの任意の１つの位置に取付可能であり、覆いを引込状態の方向へ作動させているときに、その覆いのボトムレール３４０がストッパ３４４に係合することによって、その覆いが完全引込状態になったときにロールバー３３６の回転が阻止されるようになっている。ただし、覆いのパネル３２２の長さは、覆いを装備する建築物の開口部の大きさに応じて様々な長さとされるため、ローラ上に巻取られるパネルの量も様々に異なったものとなり、ひいては、覆いが完全引込状態になったときのヘッドレールの内部のローラの有効径が異なったものとなる。即ち、パネルが長いほど、覆いが完全引込状態になったときのパネルが巻付いたローラの有効径は大きなものとなる。
【００６４】
パネル３２２の引込みが行われるとき、ローラ３３６は図面で見て時計回りに回転するが、本発明の覆いに用いられているストッパ３４４は、この引込み時のローラ３３６の時計回りの回転における回転限度位置を定めるために用いられている。ストッパ３４４は、パネル３２２の下縁に沿って設けられているボトムレール３４０に係合するものであり、ローラ３３６上に巻付いたパネルの外径は、その巻付いたパネルの長さに応じて変化するため、覆いが完全引込状態になるときに、ボトムレール３４０がヘッドレール３２８の中へ進入する位置もそれに応じて変化する。従って、ストッパ３４４を、ローラ３３６の回転軸心からの径方向距離が互いに異なる複数の位置に装着できるようにしておく必要がある。そこで、ボトムレールがヘッドレールの中へ進入するときの位置の変動に対応するために、図５８ａ及び図５８ｂに示したように、ヘッドレールの各エンドキャップ３３０には、３組の開口（挿入部）ペアが形成されており、装着位置の調節が可能なストッパ３４４は、それら３組の開口ペアのうちのどの組の開口ペアにも装着できるように形成されている。更に、ストッパ３４４は、その向きを１８０°変えて装着することも可能なように形成されており、従って、本発明のシステムに採用しているストッパ３４４は、３組の開口ペアのうちのいずれか１組の開口ペアに装着する際に、そのストッパの向きを、２つの向きのうちのいずれの向きにしても装着できるため、合計６通りの異なった位置にストッパを位置付けることが可能となっている。
【００６５】
図５８ｂに示したように、ストッパ３４４は、ブロック形状の本体部４２６を備えている。この本体部４２６は、その下縁４２８が幾分凹面の形状に形成されており、この本体部４２６の両側面４３２から互いに反対方向に、互いに軸心位置が揃えられた２組のアームペア４３０が延出している。各アームペア４３０は、互いに上下方向に離隔した２本のアームから成る。各アームペア４３０における上側アーム４３４は、その先端に係合爪４３６が形成されている。更に、各アームペア４３０は、本体部４２６の一方の側縁４３８からの距離を、他方の側縁４４０からの距離よりも小さくしてあり、これによって、以下に説明するように、ストッパ３４４の位置を変えられるようにしている。
【００６６】
各エンドキャップ３３０には、ストッパ３４４を装着るための装着部４４２が形成されており、この装着部４４２は、３組の開口（挿入部）ペア４２４から成るものである。各組の開口ペアは、上下方向に位置が揃った上側開口４４４と下側開口４４６とで構成されており、各組の開口ペアにおける上側開口４４４は、エンドキャップ３３０の頂部を貫通して鉛直方向に延在している鉛直開口４４８に連通している。各開口ペアは、ストッパに形成されているアームペア４３０を嵌合できるようにしてあり、上側アームに形成されている係合爪４３６がそのストッパを装着した開口ペアの鉛直開口４４８に、係脱可能に係合するようにしてある。
【００６７】
以上から明らかなように、ストッパ３４４を、２つの向きのうちの一方の向きに向けて（例えば図５８ｂに示したように向けて）、そのストッパの左側面に形成されているアームペア４３０を、３組の開口ペア４２４のうちのいずれか１組の開口ペアに嵌合すれば、上側アームに形成されている係合爪４３６により、そのストッパをその位置に係脱可能に保持することができる。アームペアを嵌合する開口ペアを変更することで、ローラ３３６の回転軸心からストッパの本体部４２６の凹面形状の下縁４２８までの距離をを異ならせることができ、それによって、ローラ上に巻付くパネルの長さが様々に異なる場合に対応することができる。ストッパの向きを逆にすることにより、反対側の側面から突出しているアームペアを、３組の開口ペア４２４のうちのいずれか１組の開口ペアに嵌合することができる。そして、左右２組のアームペアはいずれも、本体部４２６の一方の側縁４３８からの距離を、他方の側縁４４０からの距離よりも小さくしてあるため、開口ペアに嵌装するアームペアを交替させることで、本体部の凹面形状の下縁の位置を変更することができる。従って、ストッパの向きを、２つの向きのうちのいずれの向きにしても装着することができ、且つ、ストッパを、エンドキャップに形成されている３組の開口ペアのうちのどの１組の開口ペアにも嵌合することができるため、ストッパの凹面形状の下縁４３８の位置を、６通りの異なった位置にすることができ、覆いが一杯に引込まれた状態になるときに、かかる位置において、ストッパの下縁４３８が覆いのボトムレールに係合するようにすることができる。尚、ストッパの凹面形状の下縁４３８は比較的幅が広いため、この下縁４３８は、各々の位置において、パネルが巻付いたローラの有効径がある範囲内の異なった大きさであっても対応することができ、従って、所与の範囲内の異なったパネル長さに対応することができる。
【００６８】
当業者には容易に理解されるように、本発明に係る覆いは、様々な変更を加えた形態で実施し得るものである。そのような変更例にかかる実施の形態としては、支持構造体として用いる支持シート材を、鉛直に延在する複数のモノフィラメントのコードや、鉛直に延在する複数のテープ状（リボン状）の材料や、天然素材または合成素材のコードなどの材料に替えたものなどがあり、更にその他の材料を使用したものとすることも可能である。また、作動部材としては、モノフィラメントのコードに限られず、テープ状（リボン状）の材料や、天然繊維または合成繊維から成るコードないしその他の材料を使用することも可能である。また、ベーンの横断面形状も、それを変更することで、様々な美観的効果を得ることができ、更に、昇降部材及び作動部材の両側に形成するセルラベーンの形状も、対称形の様々な形状、或いは、前面側の部材と背面側の部材とで形状を異ならせた様々な非対称形のものとすることができる。更に、ベーンの材料の可撓性の程度を変更することによっても、様々な美観的効果を得ることができ、剛性材料または半剛性材料を用いる場合には、その材料に折り目を形成することで、所望の機能性を得ることができる。更に、ベーンの材料として適当な材料を選択することによって、ベーンの透明度や色彩を適切に定めるようにするのもよい。
【００６９】
更に、以上に開示したものでは、ベーンは、その上縁を支持構造体に止着し、その下縁を可動にしてあり、それによって、覆いを開状態と閉状態の間で移行させるようにしていたが、これを逆にすることも可能である。即ち、ベーンの下縁を支持構造体に固定し、上縁を可動にしてもよく、更には、ベーンを鉛直方向に延在するようにして取付け、その一方の縁部を支持構造体に固定し、他方の縁部を、その固定した縁部に対して接近及び離隔する方向に可動とするようにしてもよく、そのようにしても、ベーンを開状態と閉状態との間で作動させることができる。
【００７０】
以上、本発明をかなり具体的に踏み込んで説明したが、以上の開示はあくまでも具体例を提示することを目的としたものであり、特許請求の範囲に明記した本発明の概念から逸脱することなく、その細部並びに構造に対して変更を加えることが可能である。
【図面の簡単な説明】
【００７１】
【図１】建築物の開口部の覆いに用いられる本発明に係るパネルの第１の実施の形態の斜視図であり、パネルが展張状態にあるが、ただし閉状態にあるところを示した図である。
【図２】図１に示したパネルの斜視図であり、覆いが一杯に展張された状態にあるところを示した図である。
【図３】図１のパネルの斜視図であり、パネルが展張状にあって、しかも全開状態にあるところを示した図である。
【図４】本発明のパネルを巻取ったローラの鉛直断面図であり、完全引込状態を示した図である。
【図５】図４と同様の鉛直断面図であり、パネルがローラから半ば引出されて展張された状態を示した図である。
【図６】図１の６−６線に沿って見た側面図であり、パネルが一杯に展張された状態にあるが、ただし閉状態にあるところを示した図である。
【図７】図２に示した状態にあるパネルの側面図である。
【図８】図３に示した状態にあるパネルの側面図である。
【図９】図１の９−９線に沿った断面部分拡大図である。
【図１０】図９の楕円で囲んだパネルの一部分の拡大図である。
【図１１】図１０に示した部分と同一部分を示した更に拡大した断面部分拡大図である。
【図１２】図１１の１２−１２線に沿った断面部分図である。
【図１３】図１１の１３−１３線に沿った断面部分図である。
【図１４】図１のパネルの一部分の様々な構成部品を示した分解部分斜視図である。
【図１５】図１４の１５−１５線に沿った断面図である。
【図１６】図１５と同様の図であり、構成部品を更に分解して示した図である。
【図１７】本発明に係る覆いの第２の実施の形態の側面図であり、覆いが展張状態にあるが、ただし閉状態にあるところを示した図である。
【図１８】図１７に示した実施の形態の側面図であり、ベーンが半開状態にあるところを示した図である。
【図１９】図１７及び図１８と同様の鉛直断面図であり、ベーンが全開状態にあるところを示した図である。
【図２０】本発明の覆いの第３の実施の形態の側面図であり、ベーンが閉状態にあるところを示した図である。
【図２１】図２０と同様の側面図であり、ベーンが半開状態にあるところを示した図である。
【図２２】図２０及び図２１のパネルの側面図であり、ベーンが全開状態にあるところを示した図である。
【図２３】本発明の第４の実施の形態の側面図であり、ベーンが全閉状態にあるところを示した図である。
【図２４】図２３と同様の側面図であり、ベーンが半開状態にあるところを示した図である。
【図２５】図２３及び図２４と同様の側面図であり、ベーンが全開状態にあるところを示した図である。
【図２６】本発明の第５の実施の形態の側面図であり、ベーンが全閉状態にあるところを示した図である。
【図２７】図２６と同様の側面図であり、ベーンが半開状態にあるところを示した図である。
【図２８】図２６及び図２７と同様の側面図であり、ベーンが全開状態にあるところを示した図である。
【図２９】本発明の第６の実施の形態の側面図であり、ベーンが閉状態にあるところを示した図である。
【図３０】図２９と同様の側面図であり、ベーンが半開状態にあるところを示した図である。
【図３１】図２９及び図３０の実施の形態の側面図であり、ベーンが全開状態にあるところを示した図である。
【図３２】本発明の覆いの第７の実施の形態の側面図でありベーンが全閉状態にあるところを示した図である。
【図３３】図３２と同様の側面図であり、ベーンが半開状態にあるところを示した図である。
【図３４】図３２及び図３３と同様の側面図であり、ベーンが全開状態にあるところを示した図である。
【図３５】本発明の第８の実施の形態の側面図であり、ベーンが全閉状態にあるところを示した図である。
【図３６】図３５と同様の側面図であり、ベーンが半開状態にあるところを示した図である。
【図３７】図３５及び図３６と同様の側面図であり、ベーンが全開状態にあるところを示した図である。
【図３８】本発明の第９の実施の形態の側面図であり、ベーンが全閉状態にあるところを示した図である。
【図３９】図３８と同様の側面図であり、ベーンが半開状態にあるところを示した図である。
【図４０】図３８及び図３９の覆いの側面図であり、ベーンが全開状態にあるところを示した図である。
【図４１】本発明の第１０の実施の形態の側面図であり、ベーンが全閉状態にあるところを示した図である。
【図４２】図４１と同様の側面図であり、ベーンが半開状態にあるところを示した図である。
【図４３】図４１及び図４２と同様の側面図であり、ベーンが全開状態にあるところを示した図である。
【図４４】本発明に係るパネルの第１１の実施の形態の斜視図である。
【図４５】本発明の第１２の実施の形態の背面側の斜視図であり、この実施の形態は昇降コード及び作動コードがセルラベーンの中心を延在するようにしたものである。
【図４５Ａ】図４５と同様の斜視図であり、覆いの前面側を示した図である。
【図４６】図４５及び図４５Ａの覆いの側面図であり、覆いが一杯に展張された状態にあり、ただし閉状態にあるところを示した図である。
【図４７】図４６と同様の側面図であり、覆いが半開状態にあるところを示した図である。
【図４８】図４６及び図４７と同様の側面図であり、覆いが全開状態にあるところを示した図である。
【図４９】図４５の４９−４９線に沿った断面部分拡大図である。
【図５０】図４９と同様の更に拡大した断面部分拡大図であり、覆いが閉状態にあるときの上下に隣り合うベーンの夫々の縁部を示した図である。
【図５１】図５０の５１−５１線に沿った断面図である。
【図５２】図５０の５２−５２線に沿った断面図である。
【図５３】本発明に係る覆いの第１３の実施の形態の側面図であり、覆いが全閉状態にあるところを示した図である。
【図５４】図５３と同様の側面図であり、覆いが半開状態にあるところを示した図である。
【図５５】図５３及び図５４と同様の側面図であり、覆いが全開状態にあるところを示した図である。
【図５６ａ】本発明に係る覆いの第１４の実施の形態の側面図であり、覆いが一杯に展張された状態にあるところを示した図である。
【図５６ｂ】図５６ａの覆いの側面図であり、覆いが半ば引込まれた状態にあるところを示した図である。
【図５６ｃ】図５６ａの覆いの側面図であり、覆いが完全に引込まれた状態にあるところを示した図である。
【図５７】本発明に係る覆いの斜視図であり、覆いがヘッドレールに引込まれた状態にあるところを示し、取付ブラケットを破線で示した図である。
【図５８】図５７に示した覆いの背面側の斜視図であり、ここでも取付ブラケットは破線で示してある。
【図５８ａ】ヘッドレールの端部とそこに装備された調節可能なストッパとを示した拡大部分図である。
【図５８ｂ】図５８ａと同様の部分斜視図であり、ストッパをヘッドレール内の別の装着位置に装着するために一旦取り外したところを示した図である。
【図５９】図５７の覆いの斜視図であり、覆いが展張状態にあるところを示した図である。
【図５９ａ】図５９の５９ａ−５９ａ線に沿った断面拡大図である。
【図５９ｂ】図５９の５９ｂ−５９ｂ線に沿った断面拡大図である。
【図５９ｃ】図５９ｂと同様の断面図であり、ボトムレールを覆いのパネルに連結するための別の連結方式を示した図である。
【図５９ｄ】図５９ｂのボトムレールを英目下拡大斜視図である。
【図６０】図５７の覆いの斜視図であり、覆いが一杯に展張された状態にあり、ただし閉状態にあるところを示した図である。
【図６１】図６０の６１−６１線に沿った側面図である。
【図６２】図６０の６２−６２線に沿った断面拡大図である。
【図６２ａ】図６２と同様の断面図であり、覆いが覆いが閉状態から開状態へ作動しようとしている直前の状態にあるところを示した図である。
【図６２ｂ】図６２ａと同様の断面図であり、覆いが一杯に展張された状態にあり、ただし半開状態にあるところを示した図である。
【図６２ｃ】図６２ａと同様の断面図であり、覆いが一杯に展張された状態にあり、しかも全開状態にあるところを示した図である。
【図６２ｄ】図６２ｃに示した状態にある覆いの斜視図である。
【図６３】図６２に示した種類の覆いであって、第２の実施の形態のボトムレールを使用している覆いの斜視図である。
【図６３ａ】図６３の６３ａ−６３ａ線に沿った断面部分拡大図である。
【図６３ｂ】図６３ａに示したボトムレールの斜視図である。
【図６３ｃ】図６３に示した覆いの鉛直断面図であり、覆いが一杯に展張された状態にあり、ただし半開状態にあるところを示した図である。
【図６３ｄ】図３６ｃと同様の断面図であり、覆いが一杯に展張された状態にあり、しかも全開状態にあるところを示した図である。
【図６４】図６３に示した多いと同様の覆いであって、第３の実施の形態のボトムレールを使用した覆いの斜視図である。
【図６４ａ】図６４の６４ａ−６４ａ線に沿った断面部分拡大図である。
【図６４ｂ】図６４ａの６４ｂ−６４ｂ線に沿った断面図である。
【図６４ｃ】図６４に示した覆いの鉛直断面図であり、覆いが一杯に展張された状態にあり、ただし半開状態にあるところを示した図である。
【図６４ｄ】図６４ｃと同様の断面図であり、覆いが一杯に展張された状態にあり、しかも全開状態にあるところを示した図である。
【図６５】ボトムレールを装備せず、その替わりに、覆いの下縁より上方に離隔した位置に、適宜の重量を有するロッドを隠れるように装備した覆いの部分斜視図である。
【図１】
2007509254.tif 000003
【図２】
2007509254.tif 000004
【図３】
2007509254.tif 000005
【図４】
2007509254.tif 000006
【図５】
2007509254.tif 000007
【図６】
2007509254.tif 000008
【図７】
2007509254.tif 000009
【図８】
2007509254.tif 000010
【図９】
2007509254.tif 000011
【図１０】
2007509254.tif 000012
【図１１】
2007509254.tif 000013
【図１２】
2007509254.tif 000014
【図１３】
2007509254.tif 000015
【図１４】
2007509254.tif 000016
【図１５】
2007509254.tif 000017
【図１６】
2007509254.tif 000018
【図１７】
2007509254.tif 000019
【図１８】
2007509254.tif 000020
【図１９】
2007509254.tif 000021
【図２０】
2007509254.tif 000022
【図２１】
2007509254.tif 000023
【図２２】
2007509254.tif 000024
【図２３】
2007509254.tif 000025
【図２４】
2007509254.tif 000026
【図２５】
2007509254.tif 000027
【図２６】
2007509254.tif 000028
【図２７】
2007509254.tif 000029
【図２８】
2007509254.tif 000030
【図２９】
2007509254.tif 000031
【図３０】
2007509254.tif 000032
【図３１】
2007509254.tif 000033
【図３２】
2007509254.tif 000034
【図３３】
2007509254.tif 000035
【図３４】
2007509254.tif 000036
【図３５】
2007509254.tif 000037
【図３６】
2007509254.tif 000038
【図３７】
2007509254.tif 000039
【図３８】
2007509254.tif 000040
【図３９】
2007509254.tif 000041
【図４０】
2007509254.tif 000042
【図４１】
2007509254.tif 000043
【図４２】
2007509254.tif 000044
【図４３】
2007509254.tif 000045
【図４４】
2007509254.tif 000046
【図４５】
2007509254.tif 000047
【図４５Ａ】
2007509254.tif 000048
【図４６】
2007509254.tif 000049
【図４７】
2007509254.tif 000050
【図４８】
2007509254.tif 000051
【図４９】
2007509254.tif 000052
【図５０】
2007509254.tif 000053
【図５１】
2007509254.tif 000054
【図５２】
2007509254.tif 000055
【図５３】
2007509254.tif 000056
【図５４】
2007509254.tif 000057
【図５５】
2007509254.tif 000058
【図５６ａ】
2007509254.tif 000059
【図５６ｂ】
2007509254.tif 000060
【図５６ｃ】
2007509254.tif 000061
【図５７】
2007509254.tif 000062
【図５８】
2007509254.tif 000063
【図５８ａ】
2007509254.tif 000064
【図５８ｂ】
2007509254.tif 000065
【図５９】
2007509254.tif 000066
【図５９ａ】
2007509254.tif 000067
【図５９ｂ】
2007509254.tif 000068
【図５９ｃ】
2007509254.tif 000069
【図５９ｄ】
2007509254.tif 000070
【図６０】
2007509254.tif 000071
【図６１】
2007509254.tif 000072
【図６２】
2007509254.tif 000073
【図６２ａ】
2007509254.tif 000074
【図６２ｂ】
2007509254.tif 000075
【図６２ｃ】
2007509254.tif 000076
【図６２ｄ】
2007509254.tif 000077
【図６３】
2007509254.tif 000078
【図６３ａ】
2007509254.tif 000079
【図６３ｂ】
2007509254.tif 000080
【図６３ｃ】
2007509254.tif 000081
【図６３ｄ】
2007509254.tif 000082
【図６４】
2007509254.tif 000083
【図６４ａ】
2007509254.tif 000084
【図６４ｂ】
2007509254.tif 000085
【図６４ｃ】
2007509254.tif 000086
【図６４ｄ】
2007509254.tif 000087
【図６５】
2007509254.tif 000088
【手続補正書】
【提出日】平成18年5月22日(2006.5.22)
【手続補正１】
【補正対象書類名】特許請求の範囲
【補正対象項目名】全文
【補正方法】変更
【補正の内容】
【特許請求の範囲】
【請求項１】
開状態と閉状態との間で作動可能であってパネルを有する建築物の開口部の覆いにおいて、前記パネルが、
互いに平行な複数の昇降部材から成る昇降部材群と、
前記昇降部材と略々同一平面上に配置された互いに平行な複数の作動部材から成る作動部材群と、
互いに平行な第１縁と第２縁とを有する細長い板状または帯状の部材である少なくとも１つのベーンとを備え、
各ベーンの前記第１縁は前記複数の昇降部材に止着され、前記第２縁は前記複数の作動部材に止着されており、前記複数の作動部材が前記複数の昇降部材に対して相対的に第１方向に移動することにより、前記ベーンが略々平らにつぶれた状態の閉状態になって前記複数の昇降部材及び前記複数の作動部材と略々同一平面上に位置するようになり、前記複数の作動部材が前記複数の昇降部材に対して相対的に逆方向に移動することにより、前記ベーンの前記第２縁が前記第１縁に近付く方向へ移動して開状態になるようにした、
ことを特徴とする建築物の開口部の覆い。
【請求項２】
前記複数のベーンが互いに平行な関係に配置され、前記パネルの開状態において前記ベーンの間に空隙を生ずるようにしたことを特徴とする請求項１記載の覆い。
【請求項３】
前記昇降部材が垂直方向に配置され前記ベーンが細長く水平方向に延設されていることを特徴とする請求項２記載の覆い。
【請求項４】
前記ベーンの前記第１縁と第２縁とは水平に配置されていることを特徴とする請求項２または３記載の覆い。
【請求項５】
前記ベーンは前記縁の少なくとも一方に沿って補強部を備え、前記昇降部材は該補強部に沿って前記ベーンに止着されていることを特徴とする請求項２から４のいずれかに記載の覆い。
【請求項６】
前記ベーンはさらに前記第２縁に沿って補強部を備えるとともに、該第２縁の前記補強部に沿って前記作動部材に止着されていることを特徴とする請求項５記載の覆い。
【請求項７】
前記ベーンは可撓性材料で構成されているところを特徴とする請求項２から６のいずれかに記載の覆い。
【請求項８】
前記ベーンは半剛性材料で構成されていることを特徴とする請求項２から６のいずれかに記載の覆い。
【請求項９】
前記ベーンは各々が前記第１縁及び第２縁に平行な少なくとも１つの折りたたみ直線を備えることを特徴とする請求項２から８のいずれかに記載の覆い。
【請求項１０】
細長いほぼ円筒形のローラ；第１の長手方向に延びる直線に沿って前記ローラの周縁部に止着してなる前記昇降部材の一端部；第２の長手方向に延びる直線に沿って前記ローラの周縁部に止着してなる前記作動部材の一端部；前記第１の直線から円周方向に離隔させてなる前記第２の直線；前記ベーンに止着されているほぼ同一の平面に配置してなる前記昇降部材及び作動部材；前記昇降部材に対して前記ベーンの第１縁と第２縁を互いに接近したり離隔するように長手方向に可動であって前記覆いを開状態と閉状態との間を移動させる前記作動部材；前記ローラの回りに巻き付くことができるようになされた前記ベーン及び前記昇降部材並びに作動部材：を備えたことを特徴とする請求項２から９のいずれかに記載の覆い。
【請求項１１】
前記ベーンの各々が前記第１縁及び第２縁に平行な１本の折りたたみ直線を備えたことを特徴とする請求項１０記載の覆い。
【請求項１２】
前記昇降部材がストリップ材料からなることを特徴とする請求項２から１１のいずれかに記載の覆い。
【請求項１３】
前記昇降部材はモノフィラメントからなることを特徴とする請求項２から１１のいずれかに記載の覆い。
【請求項１４】
前記昇降部材は天然繊維からなることを特徴とする請求項２から１１のいずれかに記載の覆い。
【請求項１５】
前記作動部材はストリップ材料からなることを特徴とする請求項２から１４のいずれかに記載の覆い。
【請求項１６】
前記作動部材はモノフィラメントからなることを特徴とする請求項２から１４のいずれかに記載の覆い。
【請求項１７】
前記作動部材は天然繊維からなることを特徴とする請求項２から１４のいずれかに記載の覆い。
【請求項１８】
前記パネルがさらに前記第１の長手方向に延在した取付線に沿って一端を前記ローラの周辺部に止着した可撓性のシート材料で構成されていること；平行に離間した第１の集合直線に沿って前記シート材料に断続的に止着されて前記離間した直線に沿って複数の非止着箇所を画成してなる前記ベーンの前記第１縁；前記作動部材の長さ方向に沿って離隔した箇所で前記作動部材に止着されてなる前記ベーンの前記第２縁；前記非止着箇所を摺動自在に貫通していて、前記覆いを前記開位置と閉位置との間で運動させるための前記ローラの枢回時に前記第２縁を前記第１縁に向かい切換え的に移動せしめて接近させたり離隔させるように動作する前記作動部材：を備えたことを特徴とする請求項１０から１７のいずれかに記載の覆い。
【請求項１９】
前記シート材料、前記作動部材及び前記ベーンは前記ローラの回りに巻取可能になされていることを特徴とする請求項１８記載の覆い。
【請求項２０】
前記最初のベーンの各々の箇所に第２のベーンを備えてなることを特徴とする請求項１９記載の覆い。
【請求項２１】
前記第２のベーンは前記最初のベーンとは異なる材料で構成されていることを特徴とする請求項２０記載の覆い。
【請求項２２】
複数の細長く平行で離間した可撓性部材と、縁部及び該縁部に沿って形成されたタブ部を有し、該タブ部が前記可撓性部材の境界面に沿って結合されている少なくとも１つの矩形のベーンと、からなることを特徴とする請求項１から２１のいずれかに記載の覆いに用いるためのパネル。
【請求項２３】
前記タブ部は前記可撓性部材にほぼ直交して延設することを特徴とする請求項２２記載のパネル。
【請求項２４】
前記可撓性部材はモノフィラメントであることを特徴とする請求項２２または２３記載のパネル。
【請求項２５】
前記可撓性部材はストリップ材料であることを特徴とする請求項２２または２３記載のパネル。
【請求項２６】
前記可撓性部材は天然繊維のコードであることを特徴とする請求項２２または２３記載のパネル。
【請求項２７】
前記可撓性部材の長さ方向に離間した箇所で前記可撓性部材に結合された複数の前記矩形のベーンを備えてなることを特徴とする請求項２２から２６のいずれかに記載のパネル。
【請求項２８】
前記矩形のベーンが重なり合っていることを特徴とする請求項２７記載のパネル。
【請求項２９】
前記可撓性部材は共通平面内にあり、かつ前記矩形のベーンは前記共通平面に隣接配置された複数の第１のベーン及び第２のベーンからなること；前記第１及び第２のベーンがそれぞれ第１縁及び第２縁を有すること；前記第１及び第２のベーンの前記第１縁が互いに止着されるとともに第１の取付直線を沿って前記可撓性部材の全体に至らない一部に止着され、該可撓性部材の残部が前記第１の取付直線を摺動的に通過し得るようにしたこと；前記第１及び第２のベーンの前記第２縁は互いに止着されるとともに前記可撓性部材の前記残部に止着されており、それによって前記第１及び第２のベーンが両者の間で複数のつぶれ易いセル部を形成し、前記可撓性部材が前記ストリップ材料の前記第２縁を前記第１縁に向けて運動させることにより前記セル部を切換え的につぶれさせるようになしたこと：を特徴とする請求項２７または２８記載のパネル。
【請求項３０】
前記第１のベーンが前記第２のベーンからは前記共通平面の反対側にあることを特徴とする請求項２９記載のパネル。
【請求項３１】
前記第１のベーンが前記第２のベーンと同じく前記共通平面と同じ側にあることを特徴とする請求項２９記載のパネル。
【請求項３２】
前記第１のベーン及び第２のベーンは半剛性でその中に折りたたみ直線を有することを特徴とする請求項２９から３１のいずれかに記載のパネル。
【請求項３３】
前記第１のベーン及び第２のベーンは可撓性であることを特徴とする請求項２９から３１のいずれかに記載のパネル。
【請求項３４】
複数の細長く平行で共通平面内に間隔をおいた可撓性部材と、複数の裏打用ストリップ部材と、前記可撓性部材を挾設して取付直線に沿って前記裏打用ストリップ部材に止着された複数の繊維製ベーンと、からなることを特徴とする請求項１から２１のいずれかに記載の覆いに用いるためのパネル。
【請求項３５】
前記可撓性部材の全体に至らない一部が前記取付直線に沿って前記裏打用ストリップ部材及びベーンに止着されていることを特徴とする請求項３４記載のパネル。
【請求項３６】
前記取付直線に沿って前記裏打用ストリップ部材及びベーンに止着されていない前記可撓性部材は前記取付直線を横切って前記裏打用ストリップ部材及びベーンに対して摺動可能になされていることを特徴とする請求項３５記載のパネル。
【請求項３７】
垂直方向に吊設された可撓性の支持構造体と；該支持構造体とほぼ同一平面内に配設された平行な１組の作動部材と；
第１縁及び第２縁を有する少なくとも１つのベーンと；
からなり、
前記ベーンの前記第１縁が前記支持構造体に前記第２縁が前記作動部材に止着されており、これによって前記作動部材の前記支持構造体に対する第１の方向の運動で前記ベーンをほぼ平坦な状態で前記支持構造体及び前記作動部材とほぼ同一平面内に配置させるとともに、前記作動部材の前記支持構造体に対する反対方向の運動で前記ベーンの前記第２縁を前記第１縁に向かって移動させるようにしたこと、を特徴とする請求項１から２１のいずれかに記載の覆いに用いるためのパネル。
【請求項３８】
前記パネルは上縁及び下縁を有し展張状態と引込み状態との間で運動可能な垂直方向に伸張自在の可撓性材料からなる請求項１から２１のいずれかに記載の覆いであって、該覆いがさらに、
可動なストッパと、前記パネルが巻き回され前記上縁が周縁部に止着されるローラとを備えたヘッドレールと；
前記下縁に止着され前記ヘッドレールの前記ストッパに係合可能で前記パネルが引込み状態にある時前記ローラの一方の方向への回転を制止させるボトムレールと；
を備えたことを特徴とする覆い。
【請求項３９】
前記パネルは上縁及び下縁を有し展張状態と引込み状態との間で運動可能な垂直方向に伸張自在の可撓性材料からなる請求項１から２１のいずれかに記載の覆いであって、該覆いがさらに、
前記パネルが巻き回され前記上縁が周縁部に止着されるローラを含むヘッドレールと；
前記下縁に連結され少なくとも２つの構成部品の部位で互いに枢着されたボトムレールと；
を備えたことを特徴とする覆い。
【請求項４０】
前記パネルは上縁及び下縁を有し展張状態と引込み状態との間で運動可能な垂直方向に伸張自在の可撓性材料からなる請求項１から２１のいずれかに記載の覆いであって、該覆いがさらに、
前記パネルが巻き回され前記上縁が周縁部に止着されるローラを含むヘッドレールと；
パネル内にあって複数の水平に展張するベーンを支持してなる支持構造体であり、前記ベーンが該支持構造体に止着された上縁及び可動な下縁を備え、さらに前記ベーンの前記下縁及び前記ローラに止着されて前記ベーンの前記下縁を前記ベーンの前記上縁に向かって切換え的に運動させる複数の作動部材を備える前記支持構造体と；
前記パネルの前記下縁に止着され、彎曲表面と、前記作動部材に作用的に止着された部材とを備えたボトムレールであって、前記作用的に止着された部材が前記ベーンの前記下縁が前記ベーンの前記上縁に向かって移動するにつれて前記彎曲表面に回り込んだ上で前記支持構造体に連結される前記ボトムレールと；
からなることを特徴とする覆い。
【国際調査報告】
2007509254.tif 000089